(57)【特許請求の範囲】
【請求項１】
光源ランプと、
前記光源ランプが収納される光源用筐体と、を備え、
前記光源用筐体は、
前記光源ランプが収納される収納空間を有する本体部と、
前記収納空間内の空気を外部に導く導風部と、を備え、
前記本体部は、前記収納空間内の空気が流出される流出口を有し、
前記導風部は、
前記流出口から導入された空気を分岐させる分岐部と、
前記流出口の端縁を結ぶ開口面に対して直交する第１方向に沿って前記分岐部から延出し、前記導風部に導入された空気が前記分岐部を介して流通可能な第１ダクト部と、
前記第１方向に対して交差する第２方向に沿って前記分岐部から延出し、前記導風部に導入された空気が前記分岐部を介して流通可能な第２ダクト部と、を有し、
前記第１ダクト部は、
前記第１ダクト部を形成する複数の側壁部と、
前記複数の側壁部のうち少なくともいずれかに形成され、前記第１ダクト部内を流通する空気を前記第１ダクト部の外部に流通させる第１開口部と、
前記第１開口部を覆うメッシュと、を有し、
前記第２ダクト部は、内部を流通する空気を前記第２ダクト部の外部に流通させる第２開口部を有することを特徴とする光源装置。
【請求項２】
請求項１に記載の光源装置において、
前記第１開口部は、前記第１ダクト部を形成する複数の側壁部のうち、前記第１方向に略直交する側壁部に形成され、前記第１ダクト部を流通する空気を前記第１方向に沿って前記光源用筐体の外部に排出することを特徴とする光源装置。
【請求項３】
請求項２に記載の光源装置において、
前記第１開口部は、スリット状に形成され、
前記メッシュは、前記第１開口部に対して前記第１方向とは反対側に位置することを特徴とする光源装置。
【請求項４】
請求項１から請求項３のいずれか一項に記載の光源装置において、
前記メッシュは、前記第１方向に略直交する位置に配置されることを特徴とする光源装置。
【請求項５】
請求項１に記載の光源装置において、
前記第１ダクト部は、前記第１方向に延出した後、前記第２方向に沿って延出し、
前記第１開口部は、前記第１ダクト部を形成する複数の側壁部のうち、前記第２方向側に位置する側壁部に形成され、
前記メッシュは、前記第２方向に略直交する位置に配置されることを特徴とする光源装置。
【請求項６】
請求項５に記載の光源装置において、
前記第１ダクト部を流通して前記メッシュを通過した空気と、前記第２ダクト部を流通した空気とが集約される集約部を有し、
前記集約部は、流入された空気を前記光源用筐体の外部に排出する排気口を有することを特徴とする光源装置。
【請求項７】
請求項１から請求項６のいずれか一項に記載の光源装置において、
前記導風部は、前記本体部に対して着脱可能に設けられていることを特徴とする光源装置。
【請求項８】
請求項１から請求項７のいずれか一項に記載の光源装置と、
前記光源装置から出射された光を変調する光変調装置と、
前記光変調装置により変調された光を投射する投射光学装置と、
外装を構成する外装筐体と、を備え、
前記光源装置は、前記外装筐体内に着脱可能に配置されることを特徴とするプロジェクター。
【請求項９】
請求項８に記載のプロジェクターにおいて、
それぞれ前記外装筐体内に配置されるダクト及びファンを備え、
前記外装筐体は、内部の空気を排出する筐体側排気口を有し、
前記ダクトは、前記導風部と前記筐体側排気口とを接続し、
前記ファンは、前記ダクト内に配置されて、前記導風部を流通した空気を前記筐体側排気口から前記外装筐体の外部に排出することを特徴とするプロジェクター。
【発明の詳細な説明】
【技術分野】
【０００１】
本発明は、光源装置及びプロジェクターに関する。
【背景技術】
【０００２】
従来、光源装置から出射された光を変調して画像情報に応じた画像を形成し、当該画像をスクリーン等の被投射面に拡大投射して表示するプロジェクターが知られている。このようなプロジェクターには、超高圧水銀ランプ等の光源ランプと、当該光源ランプを内部に収納するハウジングと、を備えた光源装置が用いられることが多い。
【０００３】
ここで、光源ランプは、経年劣化等によって破裂する可能性がある。この場合、光源装置を交換する必要があるが、光源ランプの破片が外部に飛散しないようにする必要もある。このため、上記ハウジング内に冷却空気を導入する導入口、及び、ハウジング外に冷却空気を排出する排出口のそれぞれにメッシュを設けた光源装置が知られている（例えば、特許文献１参照）。
【先行技術文献】
【特許文献】
【０００４】
【特許文献１】特開２０１３−１１７７４２号公報
【発明の概要】
【発明が解決しようとする課題】
【０００５】
ここで、光源ランプの比較的大きな破片は、上記メッシュによりハウジング外に飛散することが抑えられる。しかしながら、比較的小さな破片（粉塵）は、光源ランプが破裂した際の爆圧によって当該メッシュを通過してしまうことがある。このような破片が、光源装置の交換時等にてプロジェクター外に飛散することを抑制するために、上記メッシュの目を細かくすることが考えられる。
しかしながら、メッシュの目を細かくすると、当該メッシュを空気が通過する際の抵抗が大きくなってしまうため、光源ランプを冷却した空気の排出効率が低下し、ひいては、光源ランプの冷却効率が低下するという問題がある。
特に、近年のプロジェクターでは、発光輝度が高い光源ランプが採用されることが多くなっており、これに伴い、点灯時の光源ランプの温度が以前にも増して高くなっている。このことから、冷却効率が低下することによる問題は顕著となる。
【０００６】
本発明は、上記課題の少なくとも一部を解決することを目的としたものであり、光源ランプの冷却効率の低下を抑制しつつ、破裂時の光源ランプの破片の飛散を抑制できる光源装置及びプロジェクターを提供することを目的の１つとする。
【課題を解決するための手段】
【０００７】
本発明の第１態様に係る光源装置は、光源ランプと、前記光源ランプが収納される光源用筐体と、を備え、前記光源用筐体は、前記光源ランプが収納される収納空間を有する本体部と、前記収納空間内の空気を外部に導く導風部と、を備え、前記本体部は、前記収納空間内の空気が流出される流出口を有し、前記導風部は、前記流出口から導入された空気を分岐させる分岐部と、前記流出口の端縁を結ぶ開口面に対して直交する第１方向に沿って前記分岐部から延出し、前記導風部に導入された空気が前記分岐部を介して流通可能な第１ダクト部と、前記第１方向に対して交差する第２方向に沿って前記分岐部から延出し、前記導風部に導入された空気が前記分岐部を介して流通可能な第２ダクト部と、を有し、前記第１ダクト部は、前記第１ダクト部を形成する複数の側壁部と、前記複数の側壁部のうち少なくともいずれかに形成され、前記第１ダクト部内を流通する空気を前記第１ダクト部の外部に流通させる第１開口部と、前記第１開口部を覆うメッシュと、を有し、前記第２ダクト部は、内部を流通する空気を前記第２ダクト部の外部に流通させる第２開口部を有することを特徴とする。
【０００８】
上記第１態様によれば、本体部の流出口から排出される空気、すなわち、光源ランプが収納される収納空間内の空気は、導入口から導風部内に導入される。
ここで、光源ランプの破裂時以外の状態（光源ランプが破裂していない状態や、光源ランプが破裂した後の状態）では、流出口からの排気圧は比較的高くない。このため、ファン等によって第２ダクト部を流通した空気を吸引することにより、光源ランプを冷却した空気を、導風部の外部、ひいては、光源用筐体の外部に排出できる。
【０００９】
一方、光源ランプの破裂時には、光源ランプの破片等の粉塵を含む空気が流出口から導風部内に流入される。この際、光源ランプの破裂によって生じる爆圧により、流出口からの排気圧が比較的高くなることから、導風部内に導入された空気は、流出口の開口面に直交する第１方向に流通して、分岐部から第１ダクト部に流入される。この第１ダクト部を構成する複数の側壁部の少なくともいずれかには第１開口部が形成されているので、第１ダクト部に流入された空気は、当該第１開口部を介して第１ダクト部の外部に排出される。この空気が第１開口部を通過する際には、当該第１開口部を覆うメッシュによって上記粉塵は捕獲される。これにより、当該粉塵は、第１ダクト部内に留められることから、導風部外への粉塵（光源ランプの破片）の飛散が抑制される。
従って、流出口に他のメッシュが設けられる場合でも、当該他のメッシュの目を細かくすることなく、光源ランプの細かな破片が光源装置の外部に飛散することを抑制できるので、光源ランプの冷却効率を低下させることなく、上記破片の飛散を抑制できる。
【００１０】
上記第１態様では、前記第１開口部は、前記第１ダクト部を形成する複数の側壁部のうち、前記第１方向に略直交する側壁部に形成され、前記第１ダクト部を流通する空気を前記第１方向に沿って前記光源用筐体の外部に排出することが好ましい。
なお、第１方向に略直交する状態には、第１方向に対して直交する状態、及び、当該第１方向に直交する状態から僅かに傾斜した状態を含む。
ここで、光源ランプの破裂時に発生する爆圧によって、上記収納空間内の空気、すなわち、上記粉塵を含む空気は、流出口、導入口及び分岐部を介して第１方向に延出する第１ダクト部内に流入されやすい。この第１ダクト部が有する第１開口部は、上記側壁部に形成され、当該第１ダクト部を流通する空気を第１方向に沿って光源用筐体の外部に排出する。これによれば、第１ダクト部を流通する空気を、第１開口部から速やかに排出できるので、当該第１ダクト部を流通する空気が側壁部に吹き付けられることによって逆流することを抑制できる。従って、粉塵が含まれる空気が第２ダクト部側に流通することを抑制でき、当該粉塵が光源用筐体の外部に排出されることを抑制できる。
【００１１】
上記第１態様では、前記第１開口部は、スリット状に形成され、前記メッシュは、前記第１開口部に対して前記第１方向とは反対側に位置することが好ましい。
ここで、本体部内の光源ランプの光が上記流出口を介して当該本体部の外部に漏れる場合、上記第１開口部が、第１方向に直交する上記側壁部の略全面に形成されていると、当該光が第１方向に進行し、第１開口部を介して導風部の外部、ひいては、光源用筐体の外部に漏れる可能性がある。
これに対し、上記第１態様によれば、第１開口部がスリット状に形成されていることにより、当該第１開口部の開口面積を小さくすることができる。従って、上記光が上記流出口を介して本体部の外部に漏れる場合でも、当該光が導風部の外部、ひいては、光源用筐体の外部に漏れることを抑制できる。
また、メッシュは、第１開口部に対して上記第１方向とは反対側、すなわち、当該第１開口部を通過する空気の流通方向における上流側に位置する。これによれば、当該メッシュが下流側に位置する場合に比べて、捕獲された粉塵を第１ダクト部内に留めやすくすることができる。従って、光源ランプの破片を含む粉塵が光源用筐体の外部に排出されることを確実に抑制できる。
【００１２】
上記第１態様では、前記メッシュは、前記第１方向に略直交する位置に配置されることが好ましい。
上記第１態様によれば、光源ランプの破裂時に上記粉塵を含んで上記第１方向に沿って流出口から排出される空気が、上記メッシュを確実に通過するように構成できるので、当該メッシュによって上記粉塵を捕獲させやすくすることができる。従って、当該光源ランプの破片が、第１ダクト部の外部、ひいては、光源用筐体の外部に排出されることを一層抑制できる。
【００１３】
上記第１態様では、前記第１ダクト部は、前記第１方向に延出した後、前記第２方向に沿って延出し、前記第１開口部は、前記第１ダクト部を形成する複数の側壁部のうち、前記第２方向側に位置する側壁部に形成され、前記メッシュは、前記第２方向に略直交する位置に配置されることが好ましい。
上記第１態様によれば、光源ランプの破裂によって生じる爆圧により、流出口から第１方向に排出された空気は、第１ダクト部内を当該第１方向に流通した後、当該第１方向に直交する第２方向に流通する。そして、当該第１ダクト部において第２方向側に位置する側壁部に形成された上記第１開口部及び上記メッシュを通過して、第１ダクト部を流通した空気は、当該第１ダクト部の外部に排出される。
これによれば、第１ダクト部を流通する空気の流路における終端側の第１ダクト部の形状が袋小路状とされることにより、上記メッシュによって捕獲された粉塵を、当該第１ダクト部内に留めやすくすることができる。従って、光源ランプの破片を含む粉塵が光源用筐体の外部に排出されることを確実に抑制できる。
【００１４】
上記第１態様では、前記第１ダクト部を流通して前記メッシュを通過した空気と、前記第２ダクト部を流通した空気とが集約される集約部を有し、前記集約部は、流入された空気を前記光源用筐体の外部に排出する排気口を有することが好ましい。
上記第１態様によれば、第１ダクト部を流通した空気と、第２ダクト部を流通した空気とを集約して排気口から排出できる。従って、第１ダクト部を流通した空気と、第２ダクト部を流通した空気とが、導風部において異なる部位から排出される場合に比べて、当該導風部から排出された空気が導入されるダクト等の構成を簡略化できる。
なお、排気口に他のメッシュが設けられる場合には、上記メッシュによって捕獲された粉塵が、光源装置が動かされた場合等に第２ダクト部側に移動した場合でも、当該粉塵が、排気口から導風部、ひいては、光源用筐体の外部に飛散することを上記他のメッシュによって抑制できる。
【００１５】
上記第１態様では、前記導風部は、前記本体部に対して着脱可能に設けられていることが好ましい。
上記第１態様によれば、導風部が本体部に対して着脱可能であることから、光源ランプの破片を含む粉塵が内部に留められた導風部を本体部から外すことができる。このため、光源ランプの交換とともに、導風部を交換することによって、光源装置を製造できる。従って、光源装置のリユース性及びリサイクル性を向上させることができる。
【００１６】
本発明の第２態様に係るプロジェクターは、上記光源装置と、前記光源装置から出射された光を変調する光変調装置と、前記光変調装置により変調された光を投射する投射光学装置と、外装を構成する外装筐体と、を備え、前記光源装置は、前記外装筐体内に着脱可能に配置されることを特徴とする。
上記第２態様によれば、上記第１態様に係る光源装置と同様の効果を奏することができる。また、上記光源装置は、外装筐体内の位置に着脱可能に配置されることから、光源ランプが破裂した際に、当該光源ランプの破片が飛散することなく、新しい光源装置に交換できる。
【００１７】
上記第２態様では、それぞれ前記外装筐体内に配置されるダクト及びファンを備え、前記外装筐体は、内部の空気を排出する筐体側排気口を有し、前記ダクトは、前記導風部と前記筐体側排気口とを接続し、前記ファンは、前記ダクト内に配置されて、前記導風部を流通した空気を前記筐体側排気口から前記外装筐体の外部に排出することが好ましい。
上記第２態様によれば、導風部と筐体側排気口とを接続するダクト内のファンが駆動することにより、上記収納空間内の空気（例えば、光源ランプを冷却した空気）を吸引でき、当該空気を、筐体側排気口を介して外装筐体の外部に排出できる。従って、光源ランプの冷却効率を向上できる。
【図面の簡単な説明】
【００１８】
【図１】第１実施形態に係るプロジェクターを示す斜視図。
【図２】上記第１実施形態における装置本体を示す平面図。
【図３】上記第１実施形態における画像形成装置の構成を示す模式図。
【図４】上記第１実施形態における光源装置を光出射側から見た斜視図。
【図５】上記第１実施形態における光源装置を示す側面図。
【図６】上記第１実施形態における画像形成装置、電源装置及びダクトの位置関係を示す図。
【図７】上記第１実施形態におけるダクトを示す斜視図。
【図８】上記第１実施形態におけるダクトを示す斜視図。
【図９】上記第１実施形態における光源装置から排出された空気の流路を示す図。
【図１０】上記第１実施形態におけるダクトの変形を示す図。
【図１１】第２実施形態に係るプロジェクターが備える光源装置、電源装置及びダクトを示す図。
【図１２】上記第２実施形態におけるダクトの変形を示す図。
【図１３】第３実施形態に係るプロジェクターの内部構成を示す模式図。
【図１４】上記第３実施形態における画像形成装置、電源装置及びダクトの位置関係を示す図。
【図１５】上記第３実施形態における光源装置から流出される空気の流路を示す図。
【図１６】上記第３実施形態におけるダクトの変形を示す図。
【図１７】第４実施形態における光源装置、電源装置及びダクトを示す断面図。
【図１８】上記第４実施形態における光源装置から流出される空気の流路を示す図。
【図１９】上記第４実施形態におけるダクトの変形を示す図。
【図２０】第５実施形態における光源装置、電源装置及びダクトを示す断面図。
【図２１】上記第５実施形態におけるダクトの変形を示す図。
【発明を実施するための形態】
【００１９】
［第１実施形態］
以下、第１実施形態について、図面に基づいて説明する。
［プロジェクターの概略構成］
図１は、本実施形態に係るプロジェクター１の外観を示す斜視図である。また、図２は、プロジェクター１の内部を示す図である。なお、図２においては、プロジェクター１が備える装置本体３の一部の図示を省略している。
本実施形態に係るプロジェクター１は、内部に収納された光源装置から出射された光を変調して画像情報に応じた画像を形成し、当該画像をスクリーン等の被投射面に拡大投射する。このプロジェクター１は、図１及び図２に示すように、外装を構成する外装筐体２（図１及び図２）と、当該外装筐体２内に収納される装置本体３（図２）と、を備える。
【００２０】
［外装筐体の構成］
外装筐体２は、図１に示すように、全体略直方体形状を有し、本実施形態では合成樹脂により形成されている。この外装筐体２は、アッパーケース２１、ロアーケース２２、フロントケース２３及びリアケース２４を有し、これらが組み合わされて構成されている。
アッパーケース２１は、外装筐体２の天面部２Ａと、左側面部２Ｅ及び右側面部２Ｆのそれぞれの一部とを構成する。ロアーケース２２は、外装筐体２の底面部２Ｂと、左側面部２Ｅ及び右側面部２Ｆのそれぞれの一部とを構成する。フロントケース２３及びリアケース２４は、それぞれ、外装筐体２の正面部２Ｃ及び背面部２Ｄを構成する。
【００２１】
天面部２Ａには、内部に収納された光源装置４１（図２）の配置位置を覆うランプカバー２Ａ１が着脱自在に取り付けられている。このランプカバー２Ａ１を取り外すことで、当該光源装置４１が露出され、これにより、当該光源装置４１を交換することが可能となる。
正面部２Ｃには、後述する投射光学装置４６から投射された画像が通過する略半円状の開口部２Ｃ１が形成されている。
右側面部２Ｆには、後述する冷却装置６（図２）によって外部の空気が吸引されて外装筐体２内に導入される吸気口２Ｆ１が形成されている。
左側面部２Ｅには、図２に示すように、外装筐体２内を流通して冷却対象の冷却に供された空気が排出される排気口２Ｅ１が形成されている。この排気口２Ｅ１には、後述するダクト７が接続される。
【００２２】
［装置本体の構成］
装置本体３は、プロジェクター１の内部構成に相当し、図２に示すように、画像形成装置４、電源装置５及び冷却装置６を備える。なお、図示を省略するが、装置本体３は、これらの他に、プロジェクター１全体の動作を制御する制御装置等を備える。
【００２３】
［画像形成装置の構成］
図３は、画像形成装置４の構成を示す模式図である。
画像形成装置４は、上記制御装置による制御の下、画像情報に応じた画像を形成及び投射する。この画像形成装置４は、図３に示すように、光源装置４１、照明光学装置４２、色分離装置４３、リレー装置４４、電気光学装置４５及び投射光学装置４６と、これらを支持する光学部品用筐体４７と、を備える。
【００２４】
光源装置４１は、照明光学装置４２に光束を出射する。この光源装置４１は、光源ランプ４１１、リフレクター４１２及び平行化レンズ４１３と、これらを内部に収納するハウジング４１４と、を有する。このハウジング４１４については、後に詳述する。
照明光学装置４２は、光源装置４１から出射された光束の中心軸に対する直交面内の照度を均一化する。この照明光学装置４２は、光源装置４１からの光の入射順に、第１レンズアレイ４２１、調光装置４２２、第２レンズアレイ４２３、偏光変換素子４２４及び重畳レンズ４２５を有する。
【００２５】
色分離装置４３は、照明光学装置４２から入射される光束を、赤（Ｒ）、緑（Ｇ）及び青（Ｂ）の３つの色光に分離する。この色分離装置４３は、ダイクロイックミラー４３１，４３２及び反射ミラー４３３を有する。
リレー装置４４は、分離された３つの色光のうち、他の色光に比べて光路が長い赤色光の光路上に設けられる。このリレー装置４４は、入射側レンズ４４１、リレーレンズ４４３及び反射ミラー４４２，４４４を有する。
【００２６】
電気光学装置４５は、分離された各色光を画像情報に応じてそれぞれ変調した後、当該各色光を合成する。この電気光学装置４５は、色光ごとにそれぞれ設けられるフィールドレンズ４５１、入射側偏光板４５２、光変調装置としての液晶パネル４５３（赤、緑及び青用の液晶パネルをそれぞれ４５３Ｒ，４５３Ｇ，４５３Ｂとする）及び出射側偏光板４５４と、変調された各色光を合成して投射画像を形成する色合成光学装置としてのクロスダイクロイックプリズム４５５と、を有する。
投射光学装置４６は、形成された投射画像を上記被投射面上に拡大投射する。この投射光学装置４６は、複数のレンズ（図示省略）と、当該複数のレンズを内部に収納する鏡筒４６１とを備えた組レンズとして構成されている。
【００２７】
光学部品用筐体４７は、詳しい図示を省略するが、各種光学部品を収納する部品収納部材と、当該部品収納部材に形成された部品収納用の開口部を閉塞する蓋状部材と、投射光学装置４６を支持する支持部材と、を備える。この光学部品用筐体４７には、照明光軸Ａｘが設定されており、上記各装置４１〜４６は、当該照明光軸Ａｘに対する所定位置に配置される。このため、光源装置４１が光学部品用筐体４７に配置された際には、当該光源装置４１から出射される光の中心軸は、照明光軸Ａｘと一致する。
【００２８】
［電源装置の構成］
図２に戻り、電源装置５は、外装筐体２内の略中央に配置されている。具体的に、電源装置５は、背面部２Ｄに沿うとともに右側面部２Ｆに沿う略Ｌ字状に構成された画像形成装置４の両端部（光源装置４１における光出射側とは反対側の端部、及び、投射光学装置４６における投射方向側の端部）の間に配置される。この電源装置５は、詳しい図示を省略するが、交直変換回路、電圧変換回路及び点灯制御回路を有する。
交直変換回路は、背面部２Ｄに配設されたインレットコネクターに入力される商用交流電流を直流電流に変換する。電圧変換回路は、変換された直流電流を、供給される電子部品に応じて昇圧及び降圧する。点灯制御回路は、変換された直流電流から交流矩形波電流を生成し、当該電流を上記光源装置４１に供給して、当該光源装置４１を点灯させる。これらのうち、点灯制御回路は、上記制御装置により制御される。
【００２９】
［冷却装置の構成］
冷却装置６は、装置本体３を構成する冷却対象に、外装筐体２外から導入された冷却空気を流通させて、当該冷却対象を冷却する。この冷却装置６は、ファン６１〜６４及びダクト６５，７を備える。
ファン６１，６２は、遠心力ファン（シロッコファン）で構成され、投射光学装置４６と右側面部２Ｆとの間に、吸気面を上記吸気口２Ｆ１に向けて配置されている。これらファン６１，６２は、当該吸気口２Ｆ１を介して外装筐体２外の空気を吸引して外装筐体２内に導入する。そして、ファン６１，６２は、吸引した空気を、ダクト６５を介して上記各液晶パネル４５３及び出射側偏光板４５４近傍に送出し、これらを冷却する。
ファン６３は、遠心力ファンで構成され、光源装置４１近傍に配置されている。このファン６３は、外装筐体２内の空気を吸引して光源装置４１に送出し、これにより、上記光源ランプ４１１を冷却する。
【００３０】
ダクト７は、平面視略Ｌ字状に形成され、外装筐体２内における左側面部２Ｅ側の位置に配置される。具体的に、ダクト７は、一端側の部位が、光源装置４１及び電源装置５の間に配置され、他端側の部位が、左側面部２Ｅと電源装置５との間に配置される。このダクト７は、光源装置４１、照明光学装置４２及び電源装置５を冷却した空気や、外装筐体２内を流通した空気を内部に導入する。このダクト７については、後に詳述する。
ファン６４は、軸流ファンにより構成されている。このファン６４は、ダクト７内に配置され、ダクト７内を流通した空気を、排気口２Ｅ１を介して外装筐体２外に排出する。
【００３１】
［ハウジングの構成］
図４は、光源装置４１を光出射側から見た斜視図であり、図５は、光源装置４１を左側面部４１４Ｅ側から見た側面図である。
ここで、光源装置４１を構成するハウジング４１４について説明する。
ハウジング４１４は、図４及び図５に示すように、本体部４１５（図４及び図５）と、ダクト部材４１６（図４）と、を備える。そして、これらが組み合わされて、ハウジング４１４の天面部４１４Ａ、底面部４１４Ｂ、正面部４１４Ｃ、背面部４１４Ｄ、左側面部４１４Ｅ及び右側面部４１４Ｆが形成される。
【００３２】
本体部４１５は、ガラスフィラーが含まれる合成樹脂により形成され、上記光源ランプ４１１及びリフレクター４１２が収納される収納空間Ｓ（図６参照）を有する他、平行化レンズ４１３が取り付けられる。この収納空間Ｓは、換言すると、本体部４１５の内面とリフレクター４１２の内面とによって形成される空間であり、光源ランプ４１１が配置される空間である。
この本体部４１５における右側面部には、図示を省略するが、天面部４１４Ａ側及び底面部４１４Ｂ側の位置に、当該本体部４１５内に空気を導入する導入口がそれぞれ形成されている。そして、当該右側面部には、これら導入口を覆うように、ダクト部材４１６が取り付けられる。
【００３３】
左側面部４１４Ｅを構成する本体部４１５の左側面部には、排気口４１５１，４１５２が形成されている。
排気口４１５１は、本体部４１５内に導入されて光源ランプ４１１を冷却した空気をハウジング４１４外に排出する。この排気口４１５１は、略矩形状に形成されており、当該排気口４１５１の内側には、光源ランプ４１１が破裂した場合に、比較的大きな破片が外部に飛散することを抑制するメッシュ４１５３が配置されている。
排気口４１５２は、リフレクター４１２の背面（光出射側とは反対側の面）側を流通して当該リフレクター４１２を冷却した空気を、ハウジング４１４外に排出する。
【００３４】
ダクト部材４１６は、正面部４１４Ｃ側に開口する導入口４１６１を有し、当該導入口４１６１は、上記ファン６３の吐出口と接続される。この導入口４１６１内には、光源ランプ４１１が破裂した場合に破片の飛散を抑制するメッシュ４１６２が配置されている。
また、図示を省略するが、ダクト部材４１６内には、自重によって鉛直方向に移動して、導入口４１６１を介してダクト部材４１６内に導入された空気を、鉛直方向上方に向けて流通させる流路切替部材が設けられている。
【００３５】
このようなハウジング４１４では、光源装置４１の姿勢に応じて上記流路切替部材が移動することで、ダクト部材４１６内に導入された空気の流通方向は、鉛直方向上方に変更される。この空気は、本体部４１５の右側面部に形成された上記導入口のうち、鉛直方向上方に位置する導入口を介して本体部４１５内に導入され、光源ランプ４１１に対して上方から吹き付けられる。これにより、光源ランプ４１１が効果的に冷却される。
この後、光源ランプ４１１の冷却に供された空気（以下、光源冷却空気という）は、上記排気口４１５１を介してハウジング４１４外に排出され、当該排気口４１５１に対向するダクト７内に流入される。
【００３６】
［ダクトの構成］
図６は、画像形成装置４及び電源装置５と、ダクト７との位置関係を示す図である。
なお、以降の説明において、Ｚ方向は、光源装置４１からの光の出射方向を示し、Ｘ方向及びＹ方向は、当該Ｚ方向に直交し、かつ、互いに直交する方向を示す。本実施形態では、上記底面部２Ｂが載置面に対向し、かつ、Ｚ方向が水平方向に沿う姿勢でプロジェクター１が当該載置面上に載置された場合（正置き姿勢で設置された場合）に、Ｙ方向は、底面部２Ｂから天面部２Ａに向かう方向（下方から上方に向かう方向）を指し、Ｘ方向は、背面部２Ｄから正面部２Ｃに向かう方向（Ｚ方向から見て右から左）を指す。
ダクト７は、画像形成装置４及び電源装置５等を冷却した空気を内部に導入し、内部に設けられたファン６４により、排気口２Ｅ１を介して外装筐体２外に当該空気を排出させる。このダクト７は、図６に示すように、光源装置４１、照明光学装置４２及び電源装置５と対向する略Ｌ字状の導入部７１と、当該導入部７１に接続された配置部７３と、を有する。
【００３７】
図７は、ダクト７をＺ方向とは反対側から見た斜視図であり、図８は、ダクト７をＺ方向側から見た斜視図である。
このようなダクト７は、図７及び図８に示すように、Ｙ方向とは反対側に位置するダクト本体７Ｓと、当該ダクト本体７Ｓに対してＹ方向側に位置する蓋状部材７Ｔと、を備える。そして、これらが組み合わされてダクト７が構成され、内部に空気が流通する導入部７１及び配置部７３が構成される。
【００３８】
［導入部の構成］
導入部７１は、図６に示すように、画像形成装置４及び電源装置５のそれぞれに対向し、これらを冷却した空気を内部に導入する。この導入部７１は、導入口７１１〜７１５、分岐部７１６、及び、ダクト部７１７〜７２０を有する。
【００３９】
導入口７１１は、導入部７１において光源装置４１の左側面部４１４Ｅに対向する面に、上記排気口４１５１と対向するように形成されている。この導入口７１１の略矩形状の開口面（開口を形成する端縁を結ぶ仮想面）の面積は、排気口４１５１の開口面４１５１Ａより大きくなっており、当該排気口４１５１から排出された空気のほぼ全てが、導入口７１１を介して導入部７１内に流入されるように構成されている。
分岐部７１６は、導入口７１１の内側に位置し、後述するダクト部７１７，７１８と連通している。この分岐部７１６に導入口７１１を介して導入された空気のうち、排気口４１５１からの排気圧が高い空気は、当該分岐部７１６を介してダクト部７１７内に流入される。また、当該排気圧が低い空気は、後述する配置部７３に配置されたファン６４の吸引力により、分岐部７１６を介してダクト部７１８内に流入される。
【００４０】
ダクト部７１７は、本発明の第１ダクト部に相当する。このダクト部７１７は、図６に示すように、排気口４１５１の開口面４１５１Ａに直交し、かつ、当該排気口４１５１から導入口７１１に向かう方向である第１方向Ａ１（本実施形態ではＸ方向と平行な方向）に沿って、分岐部７１６から延びるダクト部である。このダクト部７１７は、ダクト本体７Ｓ及び蓋状部材７Ｔにより形成される側壁部７１７１〜７１７４（Ｙ方向側の側壁部については、図示参照）により形成されている。
これら側壁部のうち、第１方向Ａ１側に位置する側壁部７１７３には、Ｙ方向に細長いスリット状の開口部７１７６が、当該側壁部７１７３におけるＺ方向側の端部に形成されている。
【００４１】
また、ダクト部７１７内において、開口部７１７６に対して第１方向Ａ１とは反対側には、金属製のメッシュ７１７７が上記第１方向Ａ１に直交するように固定されている。このメッシュ７１７７は、板状に形成され、ダクト部７１７内を第１方向Ａ１に沿って流通する空気に含まれる粉塵（例えば、光源ランプ４１１の破片）を捕獲する機能を有する。このようなメッシュ７１７７により捕獲された粉塵は、質量を有することから、鉛直方向（すなわち、Ｙ方向とは反対方向）に落下して、ダクト部７１７内に留まる。
【００４２】
なお、ダクト部７１７を形成する側壁部のうち、Ｚ方向側に位置し、かつ、ＸＹ平面に沿う側壁部７１７１は、導入口７１１の端縁を形成している。この側壁部７１７１は、光源ランプ４１１が破裂した際の爆圧により、ハウジング４１４内の光源冷却空気が、上記第１方向Ａ１に対して傾斜する方向（Ｘ方向と同方向である第１方向Ａ１に沿って流通するに従ってＺ方向側に傾く方向）に流通する場合でも、当該光源冷却空気が、ダクト部７１７内に導かれるように形成されている。
【００４３】
ダクト部７１８は、本発明の第２ダクト部に相当し、上記ダクト部７１７とともに分岐部７１６と連通されている。このダクト部７１８は、上記第１方向Ａ１に交差する方向である第２方向Ａ２（本実施形態では、第１方向Ａ１に直交する方向であり、Ｚ方向とは反対方向）に沿って分岐部７１６から延びるダクト部である。このようなダクト部７１８は、内部を流通する空気を、後述する配置部７３に配置されたファン６４に導く機能を有する。すなわち、ファン６４が駆動されると、導入口７１１から分岐部７１６に導入された空気は、当該ファン６４の吸引力によってダクト部７１８内に流入され、当該ダクト部７１８を流通して、ファン６４に導かれる。
【００４４】
導入口７１２は、図６及び図７に示すように、画像形成装置４に対向する導入部７１の面において、Ｚ方向とは反対側の端部近傍に形成されている。すなわち、導入口７１２は、導入口７１１よりＺ方向とは反対側に位置する。この導入口７１２は、上記排気口４１５２（図４及び図５参照）から排出される空気、すなわち、リフレクター４１２の背面側を冷却した空気を導入部７１内に導入する。
ダクト部７１９は、上記ダクト部７１８と連通しており、導入口７１２を介して導入された空気を、当該ダクト部７１８に導く。
【００４５】
導入口７１３は、画像形成装置４に対向する導入部７１の面において、Ｚ方向側の端部近傍に略矩形に形成されている。すなわち、導入口７１３は、導入口７１１よりＺ方向側に位置する。この導入口７１３は、照明光学装置４２（例えば、調光装置４２２及び偏光変換素子４２４）を冷却した空気を導入部７１内に導入する。
ダクト部７２０は、図７及び図８に示すように、上記ダクト部７１７をＹ方向側及びＹ方向とは反対側から挟む一対の連通部７２０１，７２０２（Ｙ方向側の連通部を７２０１とし、Ｙ方向とは反対側の連通部を７２０２とする）を有する。これら連通部７２０１，７２０２は、導入口７１３から導入された空気を、上記ダクト部７１８に導く。
【００４６】
導入口７１４，７１５は、略Ｌ字状に形成された導入部７１において、Ｘ方向に沿い、かつ、電源装置５と対向する部位に形成されている。
導入口７１４は、図８に示すように、Ｙ方向側にスリット状に複数形成され、導入口７１５は、Ｚ方向側の端面に略Ｌ字状に形成されている。これら導入口７１４，７１５を介して、外装筐体２内の空気（例えば、電源装置５を冷却した空気）が導入部７１内に導入される。
【００４７】
［配置部の構成］
配置部７３は、上記導入部７１と接続されている。具体的に、配置部７３は、導入部７１におけるＸ方向に沿う部位からＺ方向とは反対側に突出するように形成されている。この配置部７３内には、上記ファン６４が配置される。すなわち、ファン６４は、ダクト７内において、導入口７１１から導入された空気を分岐部７１６からダクト部７１８に流入させ、当該ダクト部７１８を流通した空気を吸引可能に配置されている。
この配置部７３は、Ｚ方向とは反対方向（すなわち、ファン６４による空気の排出方向）に更に突出する接続部７３１を有する。この接続部７３１は、図７に示すように、略円筒状に形成されており、上記排気口２Ｅ１と左側面部２Ｅの内側にて接続される。
このような配置部７３内に配置されたファン６４により、上記ダクト部７１８内を流通した空気、及び、導入口７１４，７１５を介して内部に導入された空気は、当該ファン６４により吸引され、接続部７３１を介して排気口２Ｅ１から外装筐体２外に排出される。
【００４８】
［光源ランプの破裂時以外の状態にて光源装置から導入される空気の流路］
図９は、光源装置４１からダクト７内に導入された空気の流路を示す図である。なお、図９においては、光源ランプ４１１が破裂していない状態での当該空気の流路を実線の矢印Ｌ１で示し、光源ランプ４１１が破裂した場合の当該空気の流路を一点鎖線の矢印Ｌ２で示している。
ハウジング４１４内の光源冷却空気は、上記排気口４１５１に対向する導入口７１１を介して、導入部７１（ダクト７）内に導入される。
【００４９】
ここで、光源ランプ４１１が破裂していない状態では、光源冷却空気は、ハウジング４１４内の対流によって上記排気口４１５１から排出されることから、排気口４１５１からの光源冷却空気の排気圧はそれほど高くない。このため、図９の実線の矢印Ｌ１によって示すように、当該排気口４１５１及び導入口７１１から導入部７１内に導入された光源冷却空気は、ファン６４の吸引力によって、分岐部７１６から上記第２方向Ａ２（Ｚ方向とは反対方向）に沿って流通し、これにより、ダクト部７１８内に流入される。
この光源冷却空気は、ダクト部７１８を流通してファン６４により吸引された後、接続部７３１と接続される排気口２Ｅ１を介して外装筐体２外に排出される。
【００５０】
［光源ランプの破裂時に光源装置から導入される空気の流路］
一方、光源ランプ４１１が破裂した場合には、上記のように、ハウジング４１４内で破裂による爆圧が発生することから、排気口４１５１からの光源冷却空気の排気圧は、当該光源ランプ４１１が破裂していない状態での排気圧より高い。具体的には、当該光源冷却空気が分岐部７１６に到達した時点での排気圧は、当該分岐部７１６におけるファン６４による吸引圧より高い。このため、光源ランプ４１１の破裂時に排気口４１５１から排出される空気は、図９の一点鎖線の矢印Ｌ２によって示すように、導入口７１１を介して導入部７１内に導入された後、分岐部７１６から上記第１方向Ａ１に沿って流通して、ダクト部７１７内に流入される。
この光源冷却空気は、ダクト部７１７内を上記第１方向Ａ１に沿って流通してメッシュ７１７７を通過し、開口部７１７６を介して、ダクト７外に排出される。
【００５１】
ここで、光源ランプ４１１の破裂時に排気口４１５１から排出される光源冷却空気には、当該光源ランプ４１１の破片である粉塵も含まれる。この粉塵は、当該光源冷却空気がメッシュ７１７７を通過する過程で、当該メッシュ７１７７により捕獲される。このような粉塵は、質量を有することから、上記爆圧が収まった後には鉛直方向に落下して、ダクト部７１７内に留まる。
一方、当該爆圧が収まった後には、上記のように、導入口７１１を介して導入部７１内に導入された空気は、ファン６４の吸引力により、分岐部７１６からダクト部７１８内に流入される。このように、上記爆圧が発生していない場合には、ダクト部７１７に空気は流通しづらい。このため、上記メッシュ７１７７により捕獲された粉塵は、ダクト部７１７内に留まりやすく、ダクト７外に排出されにくい。
【００５２】
なお、図９では流路の図示を省略したが、光源ランプ４１１が破裂していない場合でも、破裂した場合でも、上記ファン６４の駆動により、リフレクター４１２の背面側を冷却した空気は、導入口７１２及びダクト部７１９を介してダクト部７１８内に流入され、上記照明光学装置４２を冷却した空気は、導入口７１３及びダクト部７２０を介してダクト部７１８内に流入される。このダクト部７１８内を流通する空気は、電源装置５を冷却して導入口７１４，７１５（図８参照）を介して導入部７１内に導入された空気とともに、ファン６４によって吸引され、排気口２Ｅ１から外装筐体２外に排出される。
【００５３】
［第１実施形態の効果］
以上説明した本実施形態に係るプロジェクター１によれば、以下の効果がある。
上記のように、光源ランプ４１１が破裂していない状態では、排気口４１５１から対流により排出された空気は、当該排気口４１５１に対向する導入口７１１からダクト７内に導入される。この空気は、ファン６４の吸引力により、分岐部７１６からダクト部７１８内を流通し、当該ファン６４によって、ダクト７外、ひいては、外装筐体２外に排出される。
【００５４】
一方、光源ランプ４１１が破裂した場合には、当該光源ランプ４１１の破片（粉塵）を含む光源冷却空気が排気口４１５１から排出され、上記導入口７１１を介してダクト７内に導入される。この空気の排気口４１５１からの排気圧は、光源ランプ４１１の破裂時に生じる爆圧によって高められていることから、当該空気は、上記第１方向Ａ１に直進して、分岐部７１６を介してダクト部７１７に流入される。ここで、ダクト部７１７を形成する側壁部７１７３には開口部７１７６が形成されているので、当該ダクト部７１７に流入された空気は、当該開口部７１７６を介してダクト部７１７、ひいては、ダクト７外に排出される。この空気がメッシュ７１７７を通過する際に、当該空気に含まれる破片は、当該メッシュ７１７７によって捕獲され、当該破片の飛散が抑制される。
従って、排気口４１５１内に設けられたメッシュ４１５３の目を細かくすることなく、光源ランプ４１１の細かな破片の飛散を抑制できるので、光源装置の冷却効率が低下することなく、光源ランプ４１１の破片の飛散を抑制できる。
【００５５】
なお、プロジェクター１では、光源装置４１は、光源ランプ４１１の破裂や寿命等の理由により交換可能に構成されている。ここで、光源ランプ４１１の大きな破片は、上記メッシュ４１５３により捕獲できるが、細かな破片までも捕獲可能な構成を光源装置４１に設けると、光源装置４１が高価になりやすいだけでなく、上記のように光源ランプ４１１の冷却効率が低下するおそれがある。更に、このような構成を光源装置４１に設けると、当該光源装置４１が複雑化及び大型化する。
これに対し、光源ランプ４１１の破片の飛散を抑制する構成をダクト７が有することで、光源装置４１の構成が複雑化及び大型化することを抑制できる他、冷却効率を低下させることなく光源装置４１を安価に構成できる。
【００５６】
ダクト部７１７を流通した空気は、開口部７１７６を介してダクト７外に排出される。これによれば、当該空気がダクト部７１７内に停滞せずに、開口部７１７６から排出されるので、光源装置４１から運ばれてダクト部７１７内に留められた光源ランプ４１１の破片が、ファン６４により吸引されて、外装筐体２外に排出されることを抑制できる。また、非常に細かな破片が、上記空気とともにメッシュ７１７７及び開口部７１７６を通過してしまう場合でも、当該破片はダクト７外の位置で、かつ、外装筐体２内の位置に排出される。従って、この場合でも、光源ランプ４１１の破片が外装筐体２外に排出されてしまうことを抑制できる。
【００５７】
ダクト部７１７内のメッシュ７１７７は、第１方向Ａ１に略直交する位置に配置されている。これによれば、光源ランプ４１１の破裂時に、破片を含み、かつ、第１方向Ａ１に沿って排気口４１５１から排出される空気が上記メッシュ７１７７を確実に通過するように構成できる。従って、当該破片をメッシュ７１７７により捕獲しやすくすることができるので、当該破片が外装筐体２外に排出されることを一層抑制できる。
【００５８】
開口部７１７６は、第１方向Ａ１に略直交する側壁部７１７３におけるＺ方向側の端部にスリット状に形成されている。これによれば、光源装置４１において排気口４１５１から光源ランプ４１１の光が漏れる場合でも、開口部７１７６が側壁部７１７３の略全面に形成されている場合に比べて、当該光がダクト７外に漏れることを抑制できる。
また、メッシュ７１７７は、開口部７１７６に対して第１方向Ａ１とは反対側、すなわち、当該開口部７１７６を通過する空気の流路における上流側に位置する。これによれば、当該メッシュ７１７７が下流側に位置する場合に比べて、捕獲された破片をダクト７内に留めやすくすることができる。従って、当該破片がダクト７外に排出されることを確実に抑制できる。
【００５９】
［第１実施形態の変形］
上記プロジェクター１では、ファン６４は、外装筐体２の左側面部２Ｅに形成された排気口２Ｅ１を介して、ダクト７内に導入された空気を排出する構成であった。すなわち、上記プロジェクター１では、ファン６４は、空気の吸引方向及び排出方向がＺ方向とは反対方向に沿うように、ダクト７内に配置されていた。しかしながら、このようなダクト７に代えて、空気の吸引方向及び排出方向がＸ方向に沿うようにファン６４が配置されるダクトを採用してもよい。
【００６０】
図１０は、上記ダクト７の変形であるダクト７Ａを示す図である。
ダクト７の変形であるダクト７Ａは、図１０に示すように、配置部７３に代えて配置部７３Ａを有する他は、ダクト７と同様の構成及び機能を有する。
配置部７３Ａは、導入部７１におけるＸ方向側の端部に位置している。この配置部７３Ａ内には、空気の吸引方向及び排出方向がＸ方向に沿うように、軸流ファンにより構成されたファン６４が配置される。
このような配置部７３Ａが有する接続部７３１Ａは、配置部７３Ａ内に配置されたファン６４の排出側、すなわち、ファン６４に対するＸ方向側に突出するように形成されており、当該接続部７３１Ａは、正面部２Ｃの内面に接続される。
【００６１】
このようなダクト７Ａが採用される場合には、左側面部２Ｅには排気口２Ｅ１が形成されておらず、正面部２Ｃに排気口（図示省略）が形成された外装筐体２が採用される。そして、接続部７３１Ａは、正面部２Ｃの内側にて当該排気口と接続され、ファン６４による排出空気は、正面部２Ｃ側から外装筐体２外に排出される。
このようなダクト７Ａを備えるプロジェクター１によっても、上記ダクト７を備えるプロジェクター１と同様の効果を奏することができる。
【００６２】
［第２実施形態］
次に、第２実施形態について説明する。
本実施形態に係るプロジェクターは、上記プロジェクター１と同様の構成を備えるが、光源ランプ４１１が破裂した場合に、破片を含む空気が流通するダクト部の構成が異なる点で、当該プロジェクター１と相違する。なお、以下の説明では、既に説明した部分と同一又は略同一である部分については、同一の符号を付して説明を省略する。
【００６３】
図１１は、本実施形態に係るプロジェクター１Ｂが備える画像形成装置４の一部、電源装置５及びダクト７ＢのＸＺ平面における断面図である。詳述すると、図１１は、光源装置４１からダクト７Ｂ内を流通する空気の流路を示す図である。
本実施形態に係るプロジェクター１Ｂは、ダクト７に代えてダクト７Ｂを備える他は、上記プロジェクター１と同様の構成及び機能を有し、ダクト７Ｂは、図１１に示すように、導入部７１Ｂ及び配置部７３を有する。
【００６４】
導入部７１Ｂは、導入部７１と同様に、Ｙ方向側から見て、Ｚ方向に沿う部位と、Ｘ方向に沿う部位とを有する略Ｌ字状に構成されている。この導入部７１Ｂは、ダクト部７１７とは形状及び構成が異なるダクト部７１７Ｂを有する他は、上記導入部７１と同様の構成及び機能を有する。すなわち、導入部７１Ｂは、導入口７１１〜７１５、分岐部７１６、ダクト部７１７Ｂ，７１８〜７２０を有する。
【００６５】
ダクト部７１７Ｂは、上記ダクト部７１７と同様に、分岐部７１６から上記第１方向Ａ１に沿って延びるダクト部である。このダクト部７１７Ｂには、光源ランプ４１１の破裂時に排気口４１５１から第１方向Ａ１に排出され、導入口７１１を介して導入部７１Ｂ内に導入された空気が流通する。
このようなダクト部７１７Ｂは、上記ダクト部７１７と同様に、Ｚ方向側に位置する側壁部７１７１、Ｚ方向とは反対側に位置する側壁部７１７２、Ｘ方向側に位置する側壁部７１７３、Ｙ方向とは反対側に位置する側壁部７１７４、及び、Ｙ方向側に位置する側壁部（図示省略）により囲まれている。
【００６６】
ここで、ダクト部７１７Ｂでは、側壁部７１７３に開口部７１７６は形成されておらず、上記第２方向Ａ２に位置する側壁部７１７２に開口部７１７６が形成されている。そして、当該開口部７１７６は、ダクト部７１７Ｂとダクト部７１８とを連通させる。なお、本実施形態では、開口部７１７６は、比較的大きな開口面を有する矩形状に形成されているが、スリット状に形成されていてもよい。
また、当該開口部７１７６内には、上記メッシュ７１７７が設けられている。なお、メッシュ７１７７は、当該開口部７１７６をＺ方向側、或いは、Ｚ方向とは反対側にて覆うように設けられてもよい。
【００６７】
［光源装置から導入される空気の流路］
上記光源ランプ４１１が破裂していない状態では、上記ダクト７，７Ａと同様に、上記排気口４１５１から対流により排出された光源冷却空気は、図１１に実線の矢印Ｌ３によって示すように、導入口７１１から導入部７１Ｂ内に導入される。そして、当該光源冷却空気は、ファン６４の吸引力により、分岐部７１６から上記第２方向Ａ２に沿ってダクト部７１８内に流入される。この光源冷却空気は、当該ダクト部７１８を流通してファン６４により吸引され、接続部７３１及び排気口２Ｅ１を介して、外装筐体２外に排出される。
【００６８】
一方、光源ランプ４１１が破裂した場合には、上記のように、ハウジング４１４内で爆圧が発生することから、排気口４１５１から排出される光源冷却空気（光源ランプ４１１の破片等を含む）の排気圧は、当該光源ランプ４１１が破裂していない状態での排気圧より高い。このため、当該空気は、図１１に一点鎖線の矢印Ｌ４によって示すように、上記第１方向Ａ１に沿って流通して導入口７１１から導入部７１Ｂ内に導入され、この後、分岐部７１６からダクト部７１７Ｂ内に流入される。
【００６９】
ダクト部７１７Ｂ内に流入された光源冷却空気は、当該ダクト部７１７Ｂを形成する側壁部７１７３に衝突して圧力が弱まり、当該空気の流通方向は、開口部７１７６を介して作用されるファン６４の吸引力によって、上記第２方向Ａ２に沿う方向に変更される。この光源冷却空気に含まれる上記破片は、開口部７１７６を通過する過程で、メッシュ７１７７により捕獲された後、鉛直方向に落下して、ダクト部７１７Ｂ内に留まる。また、開口部７１７６を通過した空気は、ダクト部７１８内に流入して、上記と同様に、ファン６４により吸引される。これにより、当該破片がダクト７Ｂ外に排出されることが抑制される。
【００７０】
なお、図１１では流路の図示を省略したが、光源ランプ４１１の破裂の有無に関わらず、ファン６４の駆動により、リフレクター４１２の背面側を冷却した空気は、導入口７１２及びダクト部７１９を介してダクト部７１８内に流入され、また、上記調光装置４２２及び偏光変換素子４２４を冷却した空気は、導入口７１３及びダクト部７２０を介してダクト部７１８内に流入される。更に、電源装置５を冷却した空気は、導入口７１４（図１１では図示省略），７１５を介して、導入部７１Ｂ内に流入され、ダクト部７１８内を流通する空気と合流される。そして、これら空気は、上記と同様に、ファン６４によって、排気口２Ｅ１から外装筐体２外に排出される。
【００７１】
［第２実施形態の効果］
以上説明した本実施形態に係るプロジェクター１Ｂによれば、上記プロジェクター１と同様の効果を奏する他、以下の効果を奏することができる。
光源ランプ４１１が破裂していない場合には、上記排気口４１５１から排出された空気は、ダクト部７１８内を流通して、ファン６４により吸引される。
一方、光源ランプ４１１が破裂した場合には、排気口４１５１から爆圧によって排出された光源冷却空気は、当該空気に含まれる破片がメッシュ７１７７によって捕獲された後に、開口部７１７６を介してダクト部７１７と連通するダクト部７１８に流入される。
これによれば、光源ランプ４１１が破裂した場合、及び、破裂していない場合のそれぞれにおいて、上記導入口７１１からダクト７Ｂ内に導入された空気が、最終的にダクト部７１８を流通するように構成でき、当該空気を、ファン６４によりダクト７Ｂ外に排出できる。すなわち、当該空気の排出方向をまとめることができる。従って、ダクト部７１７を流通する空気と、ダクト部７１８を流通する空気とが、それぞれ異なる開口部からダクト外に排出される構成に比べて、ダクト７Ｂの構成を簡略化できる。
【００７２】
［第２実施形態の変形］
上記ダクト７Ｂでは、配置部７３内に配置されたファン６４は、空気の吸引方向及び排出方向がＺ方向とは反対方向に沿うように配置されていた。これに対し、ダクト７Ｂに代えて、上記ダクト７Ａと同様に、空気の吸引方向及び排出方向がＸ方向に沿うようにファン６４が配置されるダクトを採用してもよい。
【００７３】
図１２は、ダクト７Ｂの変形であるダクト７Ｃ、画像形成装置４の一部及び電源装置５のＸＺ平面における断面図である。
ダクト７Ｂの変形であるダクト７Ｃは、図１２に示すように、配置部７３に代えて配置部７３Ａを有する他は、ダクト７Ｂと同様の構成及び機能を有する。
配置部７３Ａは、ダクト７Ａにおける配置部７３Ａと同様に、導入部７１ＢにおけるＸ方向側の端部に位置しており、当該配置部７３Ａ内には、空気の吸引方向及び排出方向がＸ方向に沿うように、軸流ファンにより構成されたファン６４が配置される。
このような配置部７３Ａは、上記と同様に、当該配置部７３Ａ内に配置されたファン６４の排出側、すなわち、ファン６４に対するＸ方向側に突出する接続部７３１Ａを有し、当該接続部７３１Ａは、正面部２Ｃの内面に接続される。
【００７４】
このようなダクト７Ｃが採用される場合には、上記と同様に、排気口（図示省略）が正面部２Ｃに形成された外装筐体２が採用され、配置部７３Ａ内に配置されたファン６４による排出空気は、正面部２Ｃ側から外装筐体２外に排出される。
このようなダクト７Ｃを備えるプロジェクター１Ｂによっても、上記ダクト７Ｂを備えるプロジェクター１Ｂと同様の効果を奏することができる。
【００７５】
［第３実施形態］
次に、第３実施形態について説明する。
本実施形態に係るプロジェクターは、上記プロジェクター１と同様の構成を備える。ここで、上記プロジェクター１では、光源装置４１のハウジング４１４と対向配置されるダクト７が、光源ランプ４１１の破裂時に飛散する粉塵を捕獲するメッシュ７１７７が設けられたダクト部７１７と、光源ランプ４１１を冷却した空気が流通するダクト部７１８とを備えていた。これに対し、本実施形態に係るプロジェクターでは、光源装置が、これらダクト部を有する。この点で、本実施形態に係るプロジェクターと、上記プロジェクター１とは相違する。なお、以下の説明では、既に説明した部分と同一又は略同一である部分については、同一の符号を付して説明を省略する。
【００７６】
図１３は、本実施形態に係るプロジェクター１Ｄの内部構成を示す模式図である。
本実施形態に係るプロジェクター１Ｄは、図１３に示すように、外装筐体２と、当該外装筐体２内に収納される装置本体３Ｄを備え、上記プロジェクター１と同様の機能を有する。また、装置本体３Ｄは、画像形成装置４Ｄ、電源装置５及び冷却装置６Ｄを備える。
画像形成装置４Ｄは、光源装置４１に代えて光源装置４１Ｄを有する他は、上記画像形成装置４と同様の構成及び機能を有し、冷却装置６Ｄ（ダクト６５は図示省略）は、ダクト７に代えてダクト７Ｄを有する他は、上記冷却装置６と同様の構成及び機能を有する。
【００７７】
図１４は、画像形成装置４Ｄ及び電源装置５と、ダクト７Ｄとの位置関係を示す図であり、換言すると、光源装置４１Ｄ及びダクト７ＤのＸＺ平面に沿う断面を示す図である。
光源装置４１Ｄは、図１４に示すように、ハウジング４１４に代えてハウジング４１７を備える他は、上記光源装置４１と同様の構成及び機能を有する。
ハウジング４１７は、光源用筐体に相当する。このハウジング４１７は、ハウジング４１４と同様に、上記本体部４１５と、当該本体部４１５の右側面部（Ｘ方向とは反対側の側面部）に取り付けられる上記ダクト部材４１６と、本体部４１５の左側面部４１５Ｅ（上記ハウジング４１４の左側面部４１４Ｅにおける本体部４１５の部位に対応）に着脱可能に取り付けられる導風部４１８を備える。
なお、本体部４１５には、光源ランプ４１１及びリフレクター４１２が収納される収納空間Ｓが形成されている他、平行化レンズ４１３が取り付けられる。
【００７８】
［導風部の構成］
導風部４１８は、本体部４１５に取り付けられ、当該本体部４１５の排気口４１５１から排出される上記光源冷却空気を後述するダクト７Ｄに導くダクト部材である他、光源ランプ４１１の破裂時に当該光源ランプ４１１の破片が飛散することを抑制する集塵部材でもある。この導風部４１８は、上記ダクト７の導入部７１を構成する導入口７１１、分岐部７１６及びダクト部７１７，７１８と同様の導入口４１８１、分岐部４１８２、上記第１ダクト部Ｄ１及び第２ダクト部Ｄ２を有する。
【００７９】
導入口４１８１は、本体部４１５の排気口４１５１の形状に応じて略矩形状に形成されている。この導入口４１８１は、導風部４１８が本体部４１５に取り付けられた際に当該排気口４１５１と対向し、排気口４１５１から排出された空気は、導入口４１８１を介して導風部４１８内に導入される。
分岐部４１８２は、上記分岐部７１６と同様に、導入口４１８１の内側に位置し、第１ダクト部Ｄ１及び第２ダクト部Ｄ２のそれぞれと連通している。この分岐部４１８２に導入口４１８１を介して導入された空気のうち、排気口４１５１からの排気圧が高い空気は、当該分岐部４１８２を介して第１ダクト部Ｄ１内に流入される。一方、排気口４１５１からの排気圧が低い空気は、導風部４１８Ｄと接続されるダクト７Ｄ内に配置されたファン６４の吸引力によって、分岐部４１８２を介して第２ダクト部Ｄ２内に流入される。
【００８０】
第１ダクト部Ｄ１は、排気口４１５１（本発明の流出口に相当）の開口面４１５１Ａに直交し、かつ、当該排気口４１５１から導入口４１８１に向かう方向である第１方向Ｂ１（Ｘ方向）に沿って、分岐部４１８２から延びるダクト部である。
この第１ダクト部Ｄ１は、上記ダクト部７１７の側壁部７１７１〜７１７４と同様の側壁部Ｄ１１〜Ｄ１４（Ｙ方向側の側壁部については図示参照）により形成されている。これらのうち、第１方向Ｂ１側に位置する側壁部Ｄ１３におけるＺ方向側の端部には、Ｙ方向に細長いスリット状の上記開口部Ｄ１６が形成されている。
【００８１】
また、第１ダクト部Ｄ１内において、開口部Ｄ１６に対して第１方向Ｂ１とは反対側には、上記メッシュ７１７７と同様の金属製のメッシュＤ１７が、当該第１方向Ｂ１に直交するように固定されている。すなわち、メッシュＤ１７は、開口部Ｄ１６に対して、導入口４１８１から導入された空気が第１ダクト部Ｄ１を流通する流通方向における上流側に配置されている。このメッシュＤ１７は、板状に形成されており、第１ダクト部Ｄ１内を第１方向Ｂ１に沿って流通する空気に含まれる粉塵（例えば、光源ランプ４１１の破片）を捕獲する。
【００８２】
なお、第１ダクト部Ｄ１を形成する側壁部のうち、Ｚ方向側に位置し、かつ、ＸＹ平面に沿う側壁部Ｄ１１は、上記側壁部７１７１と同様に、導入口４１８１の端縁を形成している。このため、光源ランプ４１１が破裂した際の爆圧によって本体部４１５内の空気が、第１方向Ｂ１に向かうに従ってＺ方向側に傾く方向に排気口４１５１から流通する場合でも、当該空気は、側壁部Ｄ１１に沿って流通することとなり、第１ダクト部Ｄ１内に導かれる。
【００８３】
第２ダクト部Ｄ２は、上記第１方向Ｂ１に交差する方向である第２方向Ｂ２（本実施形態では、第１方向Ｂ１に直交する方向であり、Ｚ方向とは反対方向）に沿って分岐部４１８２から延びるダクト部である。この第２ダクト部Ｄ２は、導風部４１８が取り付けられた光源装置４１Ｄが外装筐体２内に収納されてダクト７Ｄと接続された際に、光源ランプ４１１を冷却した上記光源冷却空気を、当該ダクト７Ｄ内に配置されたファン６４に導く機能を有する。
ここで、上記のように、光源ランプ４１１を冷却した光源冷却空気は、本体部４１５内の対流によって排気口４１５１から排出されるが、当該排気口４１５１からの光源冷却空気の排気圧はそれほど高くない。一方、第２ダクト部Ｄ２の終端は、内部にファン６４が配置されたダクト７Ｄの導入口７Ｄ１２と対向することから、第２ダクト部Ｄ２内には、ファン６４の吸引力が作用する。このため、排気口４１５１から導風部４１８内に導入された空気は、光源ランプ４１１の破裂時を除いて、分岐部４１８２から第２ダクト部Ｄ２に流通し、当該第２ダクト部Ｄ２の終端におけるＸ方向側の端面に形成された開口部Ｄ２１を介してダクト７Ｄ内に流入される。この開口部Ｄ２１内には、メッシュＤ１７と同様のメッシュＤ２２が配置されている。しかしながら、このメッシュＤ２２は、無くてもよい。
なお、本実施形態では、導風部４１８は、本体部４１５に対して着脱可能に設けられ、当該本体部４１５に取り付けられることにより、光源装置４１Ｄのハウジング４１７を構成している。しかしながら、これに限らず、導風部４１８の構成は、本体部４１５と一体的に形成されていてもよい。
【００８４】
［ダクトの構成］
ダクト７Ｄは、光源装置４１Ｄが光学部品用筐体４７の光源収納部４７１に収納された際に、上記導風部４１８と接続され、当該導風部４１８内に導入された空気を、排気口２Ｅ１を介して外装筐体２の外部に導くものである。このダクト７Ｄは、導入部７Ｄ１と、上記配置部７３と、を有する。
これらのうち、配置部７３内には、空気の吸引方向及び排出方向がＺ方向とは反対方向に沿うように、上記ファン６４が配置される。
【００８５】
導入部７Ｄ１は、上記導入部７１と同様に、光源装置４１Ｄ及び電源装置５に対向し、これらを冷却した空気を内部に導入する。この導入部７Ｄ１は、接続部７Ｄ１１と、導入口７Ｄ１２，７Ｄ１３，７１４（図１４では図示を省略），７１５と、を有する。
接続部７Ｄ１１は、ダクト７Ｄにおいて上記導風部４１８及び左側面部４１５Ｅと対向する部位である他、これらと接触して、光源装置４１ＤがＹ方向とは反対方向に沿って外装筐体２内に挿入されて上記光源収納部４７１に収納される際に、当該光源装置４１Ｄの光源収納部４７１への収納を案内する案内部としても機能する。
【００８６】
導入口７Ｄ１２は、接続部７Ｄ１１において上記開口部Ｄ２１に応じた位置に形成され、導風部４１８の第２ダクト部Ｄ２を流通した空気を導入部７Ｄ１内に導入する。
導入口７Ｄ１３は、接続部７Ｄ１１において上記排気口４１５２に応じた位置に形成されており、リフレクター４１２の背面部を冷却した空気を導入部７Ｄ１内に導入する。
導入口７１４，７１５は、上記ダクト７での場合と同様に、導入部７Ｄ１において、電源装置５と対向する部位に形成され、外装筐体２内の空気（例えば、電源装置５を冷却した空気）を導入部７Ｄ１内に導入する。
【００８７】
［光源ランプの破裂時以外の状態にて光源装置から導入される空気の流路］
図１５は、光源装置４１Ｄから流出される空気の流路を示す図である。この図１５においては、光源ランプ４１１の破裂時以外での当該空気の流路を実線の矢印Ｍ１により示し、光源ランプ４１１の破裂時の当該空気の流路を一点鎖線の矢印Ｍ２により示している。
本実施形態においては、光源ランプ４１１の破裂時以外の状態（光源ランプ４１１が破裂していない状態及び破裂した後の状態）では、上記本体部４１５の収納空間Ｓ内の空気（例えば光源冷却空気）は、図１５における矢印Ｍ１により示される流路を辿る。
具体的に、当該空気は、本体部４１５内の対流によって排気口４１５１から排出され、導入口４１８１を介して導風部４１８内に流入される。この導風部４１８における第２ダクト部Ｄ２内には、ファン６４の吸引力が作用するので、当該導風部４１８内に流入された空気は、ファン６４の吸引力によって、分岐部４１８２から上記第２方向Ｂ２に沿って第２ダクト部Ｄ２内に流入される。そして、第２ダクト部Ｄ２内を流通した空気は、開口部Ｄ２１及び導入口７Ｄ１２を介して導入部７Ｄ１内に導入され、ファン６４によって排気口２Ｅ１から外装筐体２外に排出される。
【００８８】
［光源ランプの破裂時に光源装置から導入される空気の流路］
一方、光源ランプ４１１の破裂時には、上記のように、本体部４１５内にて破裂による爆圧が発生することから、排気口４１５１からの上記収納空間Ｓ内の空気の排気圧は、当該光源ランプ４１１の破裂時以外での排気圧より高く、上記分岐部４１８２にて作用されるファン６４の吸引圧より高い。このため、光源ランプ４１１の破裂時に排気口４１５１から排出される空気は、図１５における矢印Ｍ２により示される流路を辿る。
具体的に、当該空気は、導入口４１８１を介して導風部４１８内に導入された後、分岐部４１８２から上記第１方向Ｂ１に沿って流通して、第１ダクト部Ｄ１内に流入される。この空気は、第１ダクト部Ｄ１内を上記第１方向Ｂ１に沿って直進してメッシュＤ１７を通過する。これにより、当該空気に含まれる上記粉塵は、メッシュＤ１７により捕獲され、上記爆圧が収まった後に鉛直方向（すなわち、Ｙ方向とは反対方向）に落下して、第１ダクト部Ｄ１内に留まる。また、当該粉塵が除去された空気は、開口部Ｄ１６を通過して、第１ダクト部Ｄ１の外部、すなわち、ハウジング４１７（光源装置４１Ｄ）の外部に排出される。
【００８９】
一方、光源ランプ４１１の破裂に伴う爆圧が収まった後には、導入口４１８１を介して導風部４１８内に導入された空気は、上記のように、矢印Ｍ１により示される流路を辿る。すなわち、当該空気は、ファン６４の吸引力によって、分岐部４１８２から第２ダクト部Ｄ２内に流入される。このように、上記爆圧が収まった場合では、第１ダクト部Ｄ１に空気は流通しづらいことから、上記メッシュＤ１７によって捕獲された粉塵は、第１ダクト部Ｄ１内に留まりやすく、導風部４１８外に排出されにくい。
なお、図示を省略したが、リフレクター４１２の背面側を冷却した空気、及び、電源装置５を冷却した空気は、光源ランプ４１１の状態に係わらず、上記ファン６４によって導入口７Ｄ１３，７１４，７１５を介して導入部７Ｄ１内に導入される。これらの空気も、ファン６４によって吸引され、排気口２Ｅ１から外装筐体２外に排出される。
【００９０】
［第３実施形態の効果］
以上説明した本実施形態に係るプロジェクター１Ｄによれば、上記プロジェクター１と同様の効果を奏することができる。
本体部４１５の排気口４１５１（流出口）から排出される空気、すなわち、光源ランプが収納される収納空間Ｓ内の空気は、導入口４１８１から導風部４１８内に導入される。
ここで、光源ランプ４１１の破裂時以外の状態では、排気口４１５１からの排気圧は比較的高くない。このため、ファン６４によって第２ダクト部Ｄ２内の空気が吸引されることにより、光源ランプ４１１を冷却した空気を、導風部４１８の外部、ひいては、光源用筐体であるハウジング４１７の外部に排出できる。
【００９１】
一方、光源ランプ４１１の破裂時には、当該光源ランプ４１１の破片等の粉塵を含む空気が排気口４１５１から導風部４１８内に導入される。この際、上記爆圧により、排気口４１５１からの排気圧が比較的高いことから、導風部４１８内に導入された空気は、排気口４１５１の開口面４１５１Ａに直交する第１方向Ｂ１に直進して、分岐部４１８２から第１ダクト部Ｄ１に流入される。この第１ダクト部Ｄ１を構成する側壁部には開口部Ｄ１６（第１開口部）が形成されているので、当該第１ダクト部Ｄ１に流入された空気は、当該開口部Ｄ１６を介して第１ダクト部Ｄ１の外部に排出される。この際、開口部Ｄ１６を覆うメッシュＤ１７によって、当該空気に含まれる粉塵が捕獲されることにより、当該粉塵は、第１ダクト部Ｄ１内に留められる。
従って、排気口４１５１に設けられたメッシュ４１５３の目を細かくすることなく、光源ランプ４１１の細かな破片が光源装置４１Ｄの外部に飛散することを抑制できるので、当該光源装置４１Ｄの冷却効率を低下させることなく、上記破片の飛散を抑制できる。
【００９２】
ここで、光源ランプ４１１の破裂時に発生する爆圧によって、上記収納空間Ｓ内の空気（上記粉塵を含む空気）は、排気口４１５１から第１方向Ｂ１に排出されることから、当該第１方向Ｂ１に分岐部４１８２から延出する第１ダクト部Ｄ１内に流入されやすい。この第１ダクト部Ｄ１が有する開口部Ｄ１６は、当該第１ダクト部Ｄ１において第１方向Ｂ１側に直交する側壁部Ｄ１３に形成され、第１ダクト部Ｄ１を流通する空気を第１方向Ｂ１に沿って排出する。これによれば、メッシュＤ１７によって粉塵が捕獲された空気を速やかに第１ダクト部Ｄ１の外部に排出できる。従って、粉塵が含まれる空気が逆流して第２ダクト部Ｄ２側に流通することを抑制でき、当該粉塵がハウジング４１７の外部に排出されることを抑制できる。
【００９３】
開口部Ｄ１６は、スリット状に形成されているので、側壁部Ｄ１３における開口部Ｄ１６の開口面積を小さくすることができる。従って、光源ランプ４１１の光が排気口４１５１を介して本体部４１５の外部に漏れる場合でも、当該光が導風部４１８の外部、ひいては、ハウジング４１７の外部に漏れることを抑制できる。
また、メッシュＤ１７は、開口部Ｄ１６に対して第１方向Ｂ１とは反対側、すなわち、当該開口部Ｄ１６を通過する空気の流通方向における上流側に位置する。これによれば、当該メッシュＤ１７が下流側に位置する場合に比べて、捕獲された粉塵を第１ダクト部Ｄ１内に留めやすくすることができる。従って、光源ランプ４１１の破片を含む粉塵がハウジングの外部に排出されることを確実に抑制できる。
【００９４】
メッシュＤ１７は、第１方向Ｂ１に略直交する位置に配置されている。これによれば、上記爆圧によって第１方向Ｂ１に沿って排気口４１５１から排出される空気（上記粉塵を含む空気）が、当該メッシュＤ１７を確実に通過するように構成でき、当該メッシュＤ１７によって上記粉塵を捕獲させやすくすることができる。従って、光源ランプ４１１の破片が、第１ダクト部Ｄ１の外部、ひいては、ハウジング４１７の外部に排出されることを一層確実に抑制できる。
【００９５】
導風部４１８は、本体部４１５に対して着脱可能であることから、光源ランプ４１１の破片を含む粉塵が内部に留められた導風部４１８を本体部４１５から外すことができる。このため、光源ランプ４１１の交換とともに、導風部４１８を交換することによって、光源装置４１Ｄを製造できる。従って、光源装置４１Ｄのリユース性及びリサイクル性を向上させることができる。
【００９６】
［第３実施形態の変形］
図１６は、ダクト７Ｄの変形であるダクト７Ｅ、光源装置４１Ｄ及び電源装置５のＸＺ平面における断面図である。
上記ダクト７Ｄでは、ファン６４は、空気の吸引方向及び排出方向がＺ方向とは反対方向に沿うように配置部７３内に配置されていた。これに対し、配置部７３に代えて配置部７３Ａを有するダクト７Ｅ（図１６）を採用し、上記ダクト７Ａ，７Ｃと同様に、空気の吸引方向及び排出方向がＸ方向に沿うようにファン６４が、当該ダクト７Ｅ内に配置されてもよい。このようなダクト７Ｅが採用される場合には、上記と同様に、排気口（図示省略）が正面部２Ｃに形成された外装筐体２が採用される。
【００９７】
［第４実施形態］
次に、第４実施形態について説明する。
本実施形態に係るプロジェクターは、上記プロジェクター１Ｄと同様の構成を備える。ここで、当該プロジェクター１Ｄの導風部４１８は、第１ダクト部Ｄ１及び第２ダクト部Ｄ２の終端に位置する開口部Ｄ１６，Ｄ２１がそれぞれ離れた位置に形成されていた。これに対し、本実施形態に係るプロジェクターでは、上記ダクト７Ｂと同様に、第１ダクト部及び第２ダクト部を流通した空気が排出される各開口部が近い位置に形成されている。この点で、本実施形態に係るプロジェクターと、上記プロジェクター１Ｄとは相違する。なお、以下の説明では、既に説明した部分と同一又は略同一である部分については、同一の符号を付して説明を省略する。
【００９８】
図１７は、本実施形態に係るプロジェクター１Ｆが備える光源装置４１Ｆ、電源装置５及びダクト７ＦのＸＺ平面における断面図である。
本実施形態に係るプロジェクター１Ｆは、光源装置４１Ｄ及びダクト７Ｄに代えて光源装置４１Ｆ及びダクト７Ｆを有する他は、上記プロジェクター１Ｄと同様の構成及び機能を有する。これらのうち、光源装置４１Ｆは、図１７に示すように、導風部４１８に代えて導風部４１８Ｆを有する他は、上記光源装置４１Ｄと同様の構成及び機能を有する。
【００９９】
［導風部の構成］
導風部４１８Ｆは、上記導風部４１８と同様に、本体部４１５の左側面部４１５Ｅに着脱可能に取り付けられて上記ハウジング４１７を構成し、当該本体部４１５の排気口４１５１から排出される空気をダクト７Ｆに導くダクト部材として機能する。この他、導風部４１８Ｆは、光源ランプ４１１の破裂時に当該光源ランプ４１１の破片を含む粉塵を集塵し、当該粉塵が飛散することを抑制する集塵部材としても機能する。
この導風部４１８Ｆは、上記導入口４１８１及び分岐部４１８２と、第１ダクト部Ｆ１及び第２ダクト部Ｆ２と、を有する。
【０１００】
第１ダクト部Ｆ１は、上記第１方向Ｂ１に沿って分岐部４１８２から延出した後、当該第１方向Ｂ１に直交する上記第２方向Ｂ２に沿って延出するダクト部である。この第１ダクト部Ｆ１は、導入口４１８１におけるＺ方向側の端縁を形成する側壁部Ｆ１１と、側壁部Ｆ１２〜Ｆ１５（Ｙ方向側の側壁部については図示参照）とにより形成されており、当該第１ダクト部Ｆ１において第２方向Ｂ２に沿う延出部分は、側壁部Ｆ１２〜Ｆ１５及びＹ方向側の側壁部によって袋小路のように閉塞されている。
この閉塞部分を形成する側壁部の１つであり、第２方向Ｂ２側に位置する側壁部Ｆ１２には、開口部Ｆ１６が形成されており、当該開口部Ｆ１６内には、上記メッシュＤ１７と同様の金属製のメッシュＦ１７が、第２方向Ｂ２に直交するように設けられている。このメッシュＦ１７は、板状に形成されており、第１ダクト部Ｆ１内を流通する空気に含まれる粉塵（例えば、光源ランプ４１１の破片）を捕獲する。なお、メッシュＦ１７は、当該開口部Ｆ１６を第２方向Ｂ２側（Ｚ方向とは反対側）、或いは、第２方向Ｂ２とは反対側（Ｚ方向側）にて覆うように設けられてもよい。
【０１０１】
第２ダクト部Ｆ２は、上記第２方向Ｂ２に沿って分岐部４１８２から延びるダクト部である。この第２ダクト部Ｆ２は、光源ランプ４１１の破裂時以外のときに、上記本体部４１５から導風部４１８Ｆ内に導入された空気の略全てをファン６４による吸引力によって流通させ、当該空気をダクト７Ｆに導く機能を有する。
この第２ダクト部Ｆ２における終端部分を形成する側壁部のうち、第１方向Ｂ１（Ｘ方向）側の側壁部は、第１ダクト部Ｆ１を形成する側壁部Ｆ１５であり、当該側壁部Ｆ１５には、上記側壁部Ｆ１２より第２方向Ｂ２側の位置に、開口部Ｆ２１が形成されている。そして、第２ダクト部Ｆ２を流通した空気は、当該開口部Ｆ２１を介して、導風部４１８Ｆの外部、ひいては、光源装置４１Ｆの外部に排出される。なお、開口部Ｆ２１内には、上記メッシュＦ１７と同様のメッシュＦ２２が配置されている。
このように、開口部Ｆ２１と、上記開口部Ｆ１６とは、互いに直交する側壁部Ｆ１５，Ｆ１２において、互いに比較的近い位置に形成されている。そして、これら開口部Ｆ１６，Ｆ２１を覆うように、ダクト７Ｆの接続部７Ｆ１１が、導風部４１８Ｆに接続される。
なお、導風部４１８Ｆは、本体部４１５に着脱可能に取り付けられる構成であるが、上記導風部４１８と同様に、本体部４１５と一体的に形成されていてもよい。
【０１０２】
［ダクトの構成］
ダクト７Ｆは、上記ダクト７Ｄと同様に、光源装置４１Ｆから排出された空気を、排気口２Ｅ１を介して外装筐体２外に導くものである。このダクト７Ｆは、導入部７Ｆ１と、上記ファン６４が配置される配置部７３と、を有する。
導入部７Ｆ１は、上記導入部７１，７Ｄ１と同様に、光源装置４１Ｆ及び電源装置５と対向し、これらを冷却した空気を内部に導入する。この導入部７Ｆ１は、接続部７Ｆ１１と、導入口７Ｆ１２，７Ｆ１３，７Ｄ１３，７１４（図１７では図示を省略），７１５と、を有する。
【０１０３】
接続部７Ｆ１１は、上記接続部７Ｄ１１と同様に、ダクト７Ｆにおいて上記導風部４１８Ｆ及び左側面部４１５Ｅと対向する部位であり、これらと接触して、当該光源装置４７Ｆの光源収納部４７１への収納を案内する案内部としても機能する。
導入口７Ｆ１２，７Ｆ１３は、接続部７Ｆ１１において上記開口部Ｆ１６，Ｆ２１に応じた位置に形成されている。そして、導入口７Ｆ１２を介して、第１ダクト部Ｆ１を流通して開口部Ｆ１６から流出される空気が導入部７Ｆ１内に導入され、また、導入口７Ｆ１３を介して、第２ダクト部Ｆ２を流通して開口部Ｆ２１から流出される空気が導入部７Ｆ１内に導入される。
導入口７Ｄ１３は、接続部７Ｆ１１において上記排気口４１５２に応じた位置に形成され、当該導入口７Ｄ１３を介して、リフレクター４１２の背面部を冷却した空気が導入部７Ｆ１内に導入される。
導入口７１４，７１５は、導入部７Ｆ１において電源装置５と対向する面に形成されている。
【０１０４】
［光源ランプの破裂時以外の状態にて光源装置から導入される空気の流路］
図１８は、光源装置４１Ｆから流出される空気の流路を示す図である。この図１８においては、光源ランプ４１１の破裂時以外での当該空気の流路を実線の矢印Ｍ３により示し、光源ランプ４１１の破裂時の当該空気の流路を一点鎖線の矢印Ｍ４により示している。
本実施形態においては、光源ランプ４１１の破裂時以外の状態では、上記本体部４１５の収納空間Ｓ内の空気（例えば光源冷却空気）は、図１８における矢印Ｍ３により示される流路を辿る。
具体的に、当該空気は、本体部４１５内の対流によって排気口４１５１から流出され、上記排気口４１５１から導入口４１８１を介して導風部４１８Ｆ内に流入される。この空気は、ダクト７Ｆ内に配置されたファン６４によって吸引されて、主に第２ダクト部Ｆ２内を流通する。そして、当該空気は、開口部Ｆ２１及び導入口７Ｆ１３を介してダクト７Ｆ内に導入され、ファン６４によって排気口２Ｅ１から外装筐体２外に排出される。
【０１０５】
［光源ランプの破裂時に光源装置から導入される空気の流路］
一方、光源ランプ４１１の破裂時には、上記爆圧により、上記収納空間Ｓ内の空気は、図１８における矢印Ｍ４により示される流路を辿る。
具体的に、当該空気は、排気口４１５１から上記第１方向Ｂ１に沿って排出された後、導入口４１８１を介して導風部４１８Ｆ内に流入され、分岐部４１８２から第１ダクト部Ｆ１内に流入される。この第１ダクト部Ｆ１は、分岐部４１８２から第１方向Ｂ１に沿って延出した後、第２方向Ｂ２に沿って延出していることから、上記爆圧により排出された空気は、当該第１ダクト部Ｆ１内を流通して、終端における第２方向Ｂ２側の側壁部Ｆ１２に形成された開口部Ｆ１６内のメッシュＦ１７を通過する。このメッシュＦ１７によって、当該空気に含まれる粉塵は捕獲され、袋小路状に形成された第１ダクト部Ｆ１の終端部分に留まる。一方、粉塵が除去された空気は、開口部Ｆ１６に応じた位置に形成された導入口７Ｆ１２を介してダクト７Ｆ内に導入され、ファン６４によって排気口２Ｅ１から外装筐体２外に排出される。
【０１０６】
また、図示を省略したが、リフレクター４１２の背面側を冷却した空気、及び、電源装置５を冷却した空気は、上記と同様に、光源ランプ４１１の状態に係わらず、上記ファン６４によって導入口７Ｄ１３，７１４，７１５を介して導入部７Ｆ１内に導入される。そして、これらの空気も、排気口２Ｅ１から外装筐体２外に排出される。
【０１０７】
［第４実施形態の効果］
以上説明した本実施形態に係るプロジェクター１Ｄによれば、上記プロジェクター１と同様の効果を奏することができる他、以下の効果を奏することができる。
第１ダクト部Ｆ１は、第１方向Ｂ１に延出した後、第２方向Ｂ２に沿って延出しており、当該第１ダクト部Ｆ１内を流通した空気が外部に流出される開口部Ｆ１６は、第２方向Ｂ２側に位置する側壁部Ｆ１２に形成されている。これによれば、第１ダクト部Ｆ１を流通する空気の流路における終端側の当該第１ダクト部Ｆ１の形状が袋小路状となることにより、開口部Ｆ１６を覆うメッシュＦ１７によって捕獲された粉塵を、当該第１ダクト部Ｆ１内に留めやすくすることができる。従って、光源ランプ４１１の破片を含む粉塵がハウジング４１７の外部に排出されることを確実に抑制できる。
また、メッシュＦ１７が、第１ダクト部Ｆ１において第２方向Ｂ２に沿って延出する部位に、当該第２方向Ｂ２に直交するように配置されていることにより、当該メッシュＦ１７を通過する空気から上記粉塵を捕獲しやすくすることができる。
【０１０８】
［第４実施形態の変形］
図１９は、ダクト７Ｆの変形であるダクト７Ｇ、光源装置４１Ｆ及び電源装置５のＸＺ平面における断面図である。
上記ダクト７Ｆでは、ファン６４は、空気の吸引方向及び排出方向がＺ方向とは反対方向に沿うように配置部７３内に配置されていた。これに対し、配置部７３に代えて配置部７３Ａを有するダクト７Ｇ（図１９）を採用し、当該ダクト７Ｇ内に、空気の吸引方向及び排出方向がＸ方向に沿うようにファン６４が配置されてもよい。このようなダクト７Ｇが採用される場合、排気口（図示省略）が正面部２Ｃに形成された外装筐体２が採用される。
【０１０９】
［第５実施形態］
次に、第５実施形態について説明する。
本実施形態に係るプロジェクターは、上記プロジェクター１Ｆと同様の構成を備える。ここで、上記プロジェクター１Ｆの導風部４１８Ｆは、第１ダクト部Ｆ１及び第２ダクト部Ｆ２のそれぞれの終端に形成された開口部Ｆ１６，Ｆ２１を介して、これらダクト部Ｆ１，Ｆ２を流通した空気をダクト７Ｆ内に流通させる構成であった。これに対し、本実施形態に係るプロジェクターでは、導風部は、第１ダクト部及び第２ダクト部を流通した空気を集約して１つの排気口からダクトに流通させる。この点で、本実施形態に係るプロジェクターと、上記プロジェクター１Ｆとは相違する。なお、以下の説明では、既に説明した部分と同一又は略同一である部分については、同一の符号を付して説明を省略する。
【０１１０】
図２０は、本実施形態に係るプロジェクター１Ｈが備える光源装置４１Ｈ、電源装置５及びダクト７ＨのＸＺ平面における断面図であり、光源装置４１Ｈからダクト７Ｈ内を流通する空気の流路を示す図である。
本実施形態に係るプロジェクター１Ｈは、光源装置４１Ｆ及びダクト７Ｆに代えて、光源装置４１Ｈ及びダクト７Ｈを有する他は、上記プロジェクター１Ｆと同様の構成及び機能を有する。これらのうち、光源装置４１Ｈは、図２０に示すように、導風部４１８Ｆに代えて導風部４１８Ｈを有する他は、上記光源装置４１Ｆと同様の構成及び機能を有する。
【０１１１】
［導風部の構成］
導風部４１８Ｈは、上記導風部４１８，４１８Ｆと同様に、本体部４１５の左側面部４１５Ｅに着脱可能に取り付けられ、当該本体部４１５の排気口４１５１から排出される空気をダクト７Ｆに導く機能を有する。この他、導風部４１８Ｈは、光源ランプ４１１の破裂時に当該光源ランプ４１１の破片が飛散することを抑制する機能を有する。
この導風部４１８Ｈは、導風部４１８Ｆがそれぞれ有する導入口４１８１、分岐部４１８２、第１ダクト部Ｆ１及び第２ダクト部Ｆ２の他、集約部Ｈ１を有する。
【０１１２】
集約部Ｈ１は、第１ダクト部Ｆ１及び第２ダクト部Ｆ２を流通した空気を集約する。この集約部Ｈ１は、各ダクト部Ｆ１，Ｆ２を流通する空気の流通方向における下流側に、側壁部Ｆ１２，Ｆ１５と、これら側壁部Ｆ１２，Ｆ１５のそれぞれに対向する側壁部Ｈ２とにより、Ｙ方向側から見て略三角形状に形成されている。換言すると、集約部Ｈ１は、第１ダクト部Ｆ１の終端に対する第２方向Ｂ２側（Ｚ方向とは反対側）の位置であり、第２ダクト部Ｆ２の終端に対する第１方向Ｂ１側（Ｘ方向側）の位置に形成されている。
この集約部Ｈ１には、第１ダクト部Ｆ１を流通した空気が開口部Ｆ１６を介して流入され、第２ダクト部Ｆ２を流通した空気が開口部Ｆ２１を介して流入される。そして、これら空気は、側壁部Ｈ２に形成された排気口Ｈ３を介して、導風部８Ｈ外に流出される。
【０１１３】
なお、本実施形態では、開口部Ｆ１６，Ｆ２１及び排気口Ｈ３には、それぞれ、メッシュＦ１７，Ｆ２２，Ｈ４が配置されている。しかしながら、これに限らず、開口部Ｆ１６及び排気口Ｈ３の一方のみにメッシュが配置される構成としてもよい。また、開口部Ｆ２１に設けられるメッシュＦ２２は、無くてもよい。
また、導風部４１８Ｈは、本体部４１５に対して着脱可能でなくてもよく、上記と同様に、本体部４１５と一体的に形成されていてもよい。
【０１１４】
［ダクトの構成］
ダクト７Ｈは、上記ダクト７Ｆと同様に、光源装置４１Ｈから排出された空気を、排気口２Ｅ１を介して外装筐体２外に導くものである。このダクト７Ｈは、導入部７Ｈ１と、上記ファン６４が配置される配置部７３と、を有する。
導入部７Ｈ１は、光源装置４１Ｈ及び電源装置５に対向し、これらを冷却した空気を内部に導入する。この導入部７Ｈ１は、接続部７Ｆ１１及び導入口７Ｆ１２，７Ｆ１３に代えて接続部７Ｈ１１及び導入口７Ｈ１２を有する他は、導入部７Ｆ１と同様の構成を有する。すなわち、導入部７Ｈ１は、接続部７Ｈ１１と、導入口７Ｈ１２，７Ｄ１３，７１４（図２０では図示省略），７１５と、を有する。
【０１１５】
接続部７Ｈ１１は、上記と同様に、ダクト７Ｈにおいて導風部４１８Ｈ及び左側面部４１５Ｅと対向する部位であり、これらと接触して、当該光源装置４７Ｈの光源収納部４７１への収納を案内する案内部としても機能する。
導入口７Ｈ１２は、接続部７Ｈ１１において上記排気口Ｈ３に応じた位置に形成されている。この導入口７Ｈ１２を介して、導風部４１８Ｈを流通して排気口Ｈ３から排出される空気が導入部７Ｈ１内に導入される。
【０１１６】
［光源ランプの破裂時以外の状態にて光源装置から導入される空気の流路］
光源ランプ４１１の破裂時以外の状態では、本体部４１５の収納空間Ｓ内の空気は、図２０における実線の矢印Ｍ５に示すように、上記排気口４１５１から導入口４１８１を介して導風部４１８Ｈ内に流入される。この空気は、上記ファン６４によって吸引されて、主に第２ダクト部Ｆ２内を流通する。そして、当該空気は、集約部Ｈ１に流通した後、排気口Ｈ３及び導入口７Ｈ１２を介してダクト７Ｈ内に導入され、ファン６４によって排気口２Ｅ１から外装筐体２外に排出される。
【０１１７】
［光源ランプの破裂時に光源装置から導入される空気の流路］
光源ランプ４１１の破裂時では、上記導風部４１８Ｆを有する光源装置４１Ｆの場合と同様に、上記爆圧により、収納空間Ｓ内の空気は、図２０における二点鎖線の矢印Ｍ６に示すように、排気口４１５１から上記第１方向Ｂ１に沿って排出され、導入口４１８１を介して導風部４１８Ｈ内に流入される。この後、当該空気は、分岐部４１８２から第１ダクト部Ｆ１に沿って流通して、第２方向Ｂ２側に位置する開口部Ｆ１６に到達する。この空気が開口部Ｆ１６を通過する際に、メッシュＦ１７によって、当該空気に含まれる粉塵が捕獲される。そして、粉塵が除去された空気は、集約部Ｈ１に流通した後、上記矢印Ｍ５にて示したように、排気口Ｈ３及び導入口７Ｈ１２を介してダクト７Ｈ内に導入され、ファン６４によって排気口２Ｅ１から外装筐体２外に排出される。
【０１１８】
また、上記と同様に、リフレクター４１２の背面側を冷却した空気、及び、電源装置５を冷却した空気は、光源ランプ４１１の状態に係わらず、上記ファン６４によって導入口７Ｄ１３，７１４，７１５を介して導入部７Ｈ１内に導入され、上記ファン６４により外装筐体２外に排出される。
【０１１９】
［第５実施形態の効果］
以上説明した本実施形態に係るプロジェクター１Ｈによれば、上記プロジェクター１Ｆと同様の効果を奏することができる他、以下の効果を奏することができる。
導風部４１８Ｈが、集約部Ｈ１を有することにより、第１ダクト部Ｆ１を流通した空気と、第２ダクト部Ｆ２を流通した空気とを集約して、１つの排気口Ｈ３から排出できる。従って、各ダクト部Ｆ１，Ｆ２を流通した空気がそれぞれ異なる部位から排出される上記導風部４１８Ｆが採用される場合に比べて、導風部４１８Ｈから流出された空気が導入されるダクト７Ｈの構成を簡略化できる。
なお、排気口Ｈ３に設けられたメッシュＨ４により、メッシュＦ１７によって捕獲された粉塵が第２ダクト部Ｆ２側に移動した場合でも、当該粉塵が導風部４１８Ｆ、ひいては、ハウジング４１７の外部に飛散することを抑制できる。更に、第２ダクト部Ｆ２を流通した空気が通過する開口部Ｆ２１にもメッシュＦ２２が設けられていることにより、上記粉塵のハウジング４１７外への飛散を確実に抑制できる。
【０１２０】
［第５実施形態の変形］
図２１は、ダクト７Ｈの変形であるダクト７Ｉ、光源装置４１Ｈ及び電源装置５のＸＺ平面における断面図である。
上記ダクト７Ｈでは、ファン６４は、空気の吸引方向及び排出方向がＺ方向とは反対方向に沿うように配置部７３内に配置されていた。これに対し、配置部７３に代えて配置部７３Ａを有するダクト７Ｉ（図２１）を採用し、当該ダクト７Ｉ内に、空気の吸引方向及び排出方向がＸ方向に沿うようにファン６４が配置されてもよい。このようなダクト７Ｉが採用される場合、排気口（図示省略）が正面部２Ｃに形成された外装筐体２が採用される。
【０１２１】
［各実施形態の変形］
本発明は、上記各実施形態に限定されるものではなく、本発明の目的を達成できる範囲での変形、改良等は本発明に含まれるものである。
上記各実施形態では、ダクト７，７Ａ〜７Ｉは、Ｙ方向側から見て略Ｌ字状に形成されていた。しかしながら、これに限らない。例えば、ダクトの形状は、ダクト部７１７，７１７Ｂが更に第１方向Ａ１に延出した略Ｕ字状であってもよい。すなわち、ダクトの形状は、適宜変更可能である。
【０１２２】
上記第１及び第２実施形態では、ダクト７，７Ａ〜７Ｃは、排気口４１５１の端縁を結ぶ平面である開口面４１５１Ａに直交する第１方向Ａ１に沿ってダクト部７１７，７１７Ｂの少なくとも一部が分岐部７１６から延出し、当該分岐部７１６から第１方向Ａ１に直交する第２方向Ａ２に沿ってダクト部７１８の少なくとも一部が延出する構成であった。これらのうち、第１方向Ａ１は、プロジェクター１，１ＢにおいてはＸ方向に沿う方向であり、第２方向Ａ２は、Ｚ方向とは反対方向に沿う方向であった。しかしながら、これに限らない。例えば、排気口４１５１がＺ方向に開口する位置に形成されている場合には、第１方向Ａ１は、Ｚ方向に沿う方向であってもよく、第２方向Ａ２は、当該Ｚ方向に直交する方向であってもよい。すなわち、光源装置４１における排気口４１５１の位置は、適宜変更可能であり、プロジェクターにおいて、上記開口面４１５１Ａに直交する第１方向Ａ１、及び、当該第１方向Ａ１に直交する第２方向Ａ２のそれぞれの向きは、光源装置４１の構成及び排気口４１５１の位置等を考慮して、適宜変更可能である。
同様に、上記第３〜第５実施形態では、第１方向Ｂ１をＸ方向に沿う方向とし、第２方向Ｂ２をＺ方向とは反対方向とした。しかしながら、これに限らない。例えば、第２方向Ｂ２は、Ｚ方向に沿う方向としてもよい。すなわち、第１方向Ｂ１、及び、当該第１方向Ｂ１に交差する第２方向Ｂ２のそれぞれの向きは、光源装置４１Ｄ，４１Ｆ，４１Ｈの構成及び排気口４１５１の位置等を考慮して、適宜変更可能である。
【０１２３】
上記第１実施形態では、ダクト部７１７が有する開口部７１７６は、当該ダクト部７１７において第１方向Ａ１側に位置する側壁部７１７３に形成されていた。また、上記第２実施形態では、当該開口部７１７６は、ダクト部７１７において第２方向Ａ２側に位置する側壁部７１７２に形成されていた。しかしながら、これに限らない。例えば、開口部７１７６は、ダクト部７１７において第２方向Ａ２とは反対側の側壁部７１７１に形成されていてもよく、第１方向Ａ１及び第２方向Ａ２のそれぞれに直交する方向の側壁部（例えば、側壁部７１７４）に形成されていてもよい。すなわち、開口部７１７６の形成位置は、どの側壁部でもよい。更に、ダクト部７１７において側壁部７１７３に形成された開口部７１７６を通過した空気がダクト部７１８を流通するように構成してもよい。この場合、開口部７１７６を、側壁部７１７３におけるＺ方向とは反対側の位置に形成し、当該開口部７１７６を通過した空気を、ダクト部７１８に案内してもよい。
同様に、上記第３実施形態では、導風部４１８において、第１ダクト部Ｄ１を流通した空気が排出される開口部Ｄ１６は、当該第１ダクト部Ｄ１において第１方向Ｂ１に位置し、かつ、当該第１方向Ｂ１に略直交する側壁部Ｄ１３に形成されているとした。しかしながら、これに限らない。例えば、側壁部Ｄ１１に形成されていてもよく、Ｙ方向側に位置する側壁部（図示省略）や、Ｙ方向とは反対側に位置する側壁部Ｄ１４に形成されていてもよい。すなわち、開口部Ｄ１６の位置は、第１ダクト部Ｄ１においてどこでもよい。
【０１２４】
上記第１及び第３実施形態では、板状のメッシュ７１７７、Ｄ１７は、第１方向Ａ１，Ｂ１に直交する位置に配置されるとした。しかしながら、これに限らない。すなわち、開口部７１７６，Ｄ１６を覆う位置に配置され、光源装置４１，４１Ｄから排出された空気から光源ランプ４１１の破片（粉塵）を捕獲できれば、メッシュ７１７７，Ｄ１７は、どのような向き及び位置に配置されていてもよい。例えば、メッシュ７１７７，Ｄ１７は、第１方向Ａ１，Ｂ１に傾斜して配置されていてもよい。
また、上記各メッシュは、金属製に限らず、強度及び耐久性を確保できれば樹脂製等であってもよい。
【０１２５】
上記第１及び第３実施形態では、開口部７１７６，Ｄ１６は、側壁部７１７３，Ｄ１３におけるＺ方向側の端部にスリット状に形成されるとした。しかしながら、これに限らない。すなわち、開口部７１７６，Ｄ１６は、遮光性等を考慮しなければ、例えば側壁部７１７３，Ｄ１３における中央に形成されていてもよく、スリット状でなくてもよい。
上記第１及び第３実施形態では、メッシュ７１７７，Ｄ１７は、開口部７１７６，Ｄ１６に対して第１方向Ａ１，Ｂ１とは反対側（すなわち、開口部７１７６，Ｄ１６を通過する空気の流路における上流側）に位置するとした。しかしながら、これに限らない。例えば、当該メッシュ７１７７，Ｄ１７は、開口部７１７６，Ｄ１６に嵌め込まれていてもよい。また、メッシュ７１７７，Ｄ１７は、開口部７１７６，Ｄ１６を覆うように、当該開口部７１７６，Ｄ１６に対する下流側（第１方向Ａ１，Ｂ１側）に配置されていてもよい。
【０１２６】
上記各実施形態では、ファン６４は、空気の吸引方向及び排出方向がＺ方向とは反対方向に沿うようにダクト７，７Ｂ，７Ｄ，７Ｆ，７Ｈ内に配置された他、空気の吸引方向及び排出方向がＸ方向に沿うようにダクト７Ａ，７Ｃ，７Ｅ，７Ｇ，７Ｉ内に配置された。しかしながら、これに限らない。例えば、ファン６４は、空気の吸引方向及び排出方向がＹ方向又はＹ方向とは反対方向に沿うようにダクト内に配置されてもよい。この場合、ファン６４により空気が排出される外装筐体２の排気口を、天面部２Ａ又は底面部２Ｂに形成すればよい。すなわち、上記第１及び第２実施形態においては、光源ランプ４１１が破裂していない状態で、ダクト内に導入された空気をダクト部７１８に流通させることができれば、ファン６４の位置は問わない。また、上記第３〜第５実施形態においては、光源ランプ４１１が破裂していない状態で、導風部４１８，４１８Ｆ，４１８Ｈ内に導入された空気を第２ダクト部Ｄ２，Ｆ２に流通させることができれば、ファン６４の位置は問わない。
更に、ファン６４は、軸流ファンに限らず、遠心力ファン（シロッコファン）であってもよい。例えば、遠心力ファンにより構成されたファン６４を、吸気面がＺ方向側を向き、排気面がＸ方向側を向くように配置してもよい。換言すると、当該ファン６４を、空気の吸引方向がＺ方向とは反対方向に沿い、かつ、排出方向がＸ方向に沿うように配置部７３Ａ内に配置してもよい。
【０１２７】
上記第１及び第２実施形態では、メッシュ７１７７によって捕獲された光源ランプ４１１の破片を、ダクト部７１７，７１７Ｂ内に留める構成であった。また、上記第３〜第５実施形態では、メッシュＤ１７，Ｆ１７によって捕獲された光源ランプ４１１の破片を、第１ダクト部Ｄ１，Ｆ１内に留める構成であった。これに対し、メッシュ７１７７，Ｄ１７，Ｆ１７の配置位置から鉛直方向に凹む凹部をダクト部７１７，７１７Ｂ及び第１ダクト部Ｄ１，Ｆ１に形成し、メッシュ７１７７，Ｄ１７，Ｆ１７によって捕獲された破片（粉塵）が当該凹部内に落下することで、破片がより確実に飛散しないように構成してもよい。
【０１２８】
上記第３実施形態では、光源装置４１Ｄにおける第１ダクト部Ｄ１の終端に位置する開口部Ｄ１６は、第１方向Ｂ１とは反対側に位置するメッシュＤ１７により覆われ、第２ダクト部Ｄ２の終端に位置する開口部Ｄ２１内には、メッシュＤ２２が配置されていた。また、上記第４実施形態では、光源装置４１Ｆにおける第１ダクト部Ｆ１の終端に位置する開口部Ｆ１６、及び、第２ダクト部Ｆ２の終端に位置する開口部Ｆ２１には、それぞれメッシュＦ１７，Ｆ２２が設けられていた。更に、上記第５実施形態では、光源装置４１Ｈにおける集約部Ｈ１の排気口Ｈ３には、メッシュＨ４が設けられていた。そして、これらの構成により、導風部４１８，４１８Ｆ，４１８Ｈの外部に、光源ランプ４１１の破片等の粉塵が飛散することが抑制されるとした。しかしながら、このようにメッシュのみによって、開口部及び排気口から当該粉塵の飛散を抑制する構造に限らない。例えば、光源装置４１Ｄ，４１Ｆ，４１Ｈが光源収納部４７１から取り外されると、これら開口部Ｄ１６，Ｄ２１，Ｆ１６，Ｆ２１及び排気口Ｈ３がシャッターによって閉塞され、当該光源装置４１Ｄ，４１Ｆ，４１Ｈが光源収納部４７１に装着されると、これら開口部Ｄ１６，Ｄ２１，Ｆ１６，Ｆ２１及び排気口Ｈ３が開放される構成としてもよい。この場合、例えば、ランプカバー２Ａ１が天面部２Ａに装着されると、光源装置４１Ｄ，４１Ｆ，４１Ｈに設けられたボタンやレバー等の操作部材がランプカバー２Ａ１によって押圧され、これによって上記シャッターが開放方向に移動されて開口部Ｄ１６，Ｄ２１，Ｆ１６，Ｆ２１及び排気口Ｈ３が開放され、ランプカバー２Ａ１が取り外されると、上記シャッターが閉塞方向に移動されて開口部Ｄ１６，Ｄ２１，Ｆ１６，Ｆ２１及び排気口Ｈ３が閉塞される構成とすることができる。なお、メッシュが上記開口部及び排気口に応じて設けられる場合でも、当該メッシュの配置位置は、上記のように、開口部及び排気口内であってもよく、当該開口部を通過する空気の流通方向における上流側でも下流側でもよい。
【０１２９】
上記各実施形態では、光源装置４１，４１Ｄ，４１Ｆ，４１Ｈは、光源ランプ４１１、リフレクター４１２及び平行化レンズ４１３と、これらを内部に収納する光源用筐体としてのハウジング４１４，４１７と、を有する構成とした。このような光源装置４１は、プロジェクターに１つ設けられる構成に限らず、複数の光源装置が設けられていてもよい。この場合、それぞれの光源装置に応じて上記ダクトを設けてもよく、各光源装置から排出される空気を１つのダクトによって収集する構成としてもよい。
【０１３０】
上記各実施形態では、画像形成装置４，４Ｄは、Ｙ方向側から見て略Ｌ字状に構成されるとした。しかしながら、本発明はこれに限らない。例えば、画像形成装置は、Ｙ方向側から見て略Ｕ字状に構成されてもよい。
上記各実施形態では、プロジェクター１，１Ｂ，１Ｄ，１Ｆ，１Ｈは、３つの液晶パネル４５３（４５３Ｒ，４５３Ｇ，４５３Ｂ）を備えるとした。しかしながら、これに限らない。すなわち、２つ以下、あるいは、４つ以上の液晶パネルを用いたプロジェクターにも、本発明を適用可能である。また、採用される液晶パネルも、光入射面と光射出面とが異なる透過型の液晶パネル４５３に限らず、光入射面と光射出面とが同一となる反射型の液晶パネルを用いてもよい。更に、入射光を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【０１３１】
上記各実施形態では、画像の投射方向と、当該画像の観察方向とが略同じであるフロントタイプのプロジェクター１，１Ｂ，１Ｄ，１Ｆ，１Ｈを例示した。しかしながら、本発明はこれに限らない。例えば、投射方向と観察方向とがそれぞれ反対方向となるリアタイプのプロジェクターにも、本発明を適用可能である。
【符号の説明】
【０１３２】
１Ｄ，１Ｆ，１Ｈ…プロジェクター、２…外装筐体、２Ｅ１…排気口（筐体側排気口）、４１Ｄ，４１Ｆ，４１Ｈ…光源装置、４１１…光源ランプ、４１５…本体部、４１５１…排気口（流出口）、４１５１Ａ…開口面、４１７…ハウジング（光源用筐体）、４１８，４１８Ｆ，４１８Ｈ…導風部、４１８２…分岐部、４５３（４５３Ｒ，４５３Ｇ，４５３Ｂ）…液晶パネル（光変調装置）、４６…投射光学装置、６４…ファン、７Ｄ，７Ｅ，７Ｆ，７Ｇ，７Ｈ，７Ｉ…ダクト、Ｂ１…第１方向、Ｂ２…第２方向、Ｄ１，Ｆ１…第１ダクト部、Ｄ１１〜Ｄ１４，Ｆ１１〜Ｆ１５…側壁部、Ｄ１６，Ｆ１６…開口部（第１開口部）、Ｄ１７，Ｆ１７…メッシュ、Ｄ２，Ｆ２…第２ダクト部、Ｄ２１，Ｆ２１…開口部（第２開口部）、Ｈ１…集約部、Ｈ３…排気口、Ｓ…収納空間。
【図１】
0006439462.tif 000002
【図２】
0006439462.tif 000003
【図３】
0006439462.tif 000004
【図４】
0006439462.tif 000005
【図５】
0006439462.tif 000006
【図６】
0006439462.tif 000007
【図７】
0006439462.tif 000008
【図８】
0006439462.tif 000009
【図９】
0006439462.tif 000010
【図１０】
0006439462.tif 000011
【図１１】
0006439462.tif 000012
【図１２】
0006439462.tif 000013
【図１３】
0006439462.tif 000014
【図１４】
0006439462.tif 000015
【図１５】
0006439462.tif 000016
【図１６】
0006439462.tif 000017
【図１７】
0006439462.tif 000018
【図１８】
0006439462.tif 000019
【図１９】
0006439462.tif 000020
【図２０】
0006439462.tif 000021
【図２１】
0006439462.tif 000022